(57)【要約】【課題】紙幣カセット４６、金種別のスタッカ４５ａ〜４５ｃの全てを機体１２の前方へ引き出す引出寸法を小さくできる循環式貨幣入出金機１１を提供する。【解決手段】紙幣カセット４６、金種別のスタッカ４５ａ〜４５ｃを前側ユニット７１および後側ユニット７２に分けて搭載する。前側ユニット７１を、第１のガイド手段７３で機体１２の前方所定域Ａ１に引き出す。引き出した前側ユニット７１を、第２のガイド手段７４で機体１２の左右方向の一側であって機体１２の前方への後側ユニット７２の引き出しを許容する後側ユニット引出許容位置へ移動させる。前側ユニット７１の後側ユニット引出許容位置への移動後、後側ユニット７２を第３のガイド手段７５で機体１２の前方に引き出す。紙幣カセット４６、金種別のスタッカ４５ａ〜４５ｃの全てを機体１２の前方へ引き出す引出寸法を小さくできる。【選択図】        図１
2005018546.tif 000002
【特許請求の範囲】
【請求項１】
入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を一時保留する入金紙幣一時保留部と、入金承認時に入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、機体の前面側から後方に向けて補充回収紙幣収納部、各金種別の金種別紙幣収納投出部の順に配列された循環式貨幣入出金機において、
前記補充回収紙幣収納部、各金種別の金種別紙幣収納投出部のうち、少なくとも機体の前面側の補充回収紙幣収納部を含む前面側の一部が搭載される前側ユニットと、
前記補充回収紙幣収納部、各金種別の金種別紙幣収納投出部のうち、前側ユニットに搭載される前面側の一部より後側の残りの全部が搭載される後側ユニットと、
前記前側ユニットを機体の前後方向に移動可能にガイドする第１のガイド手段と、
この第１のガイド手段により機体の前方所定域に引き出された前側ユニットを、機体の前面に対し左右方向のいずれか一方であって機体の前方への後側ユニットの引き出しを許容する後側ユニット引出許容位置へ移動可能にガイドする第２のガイド手段と、
前記後側ユニットを機体の前後方向に移動可能にガイドする第３のガイド手段と
を具備していることを特徴とする循環式貨幣入出金機。
【請求項２】
補充回収紙幣収納部は、紙幣カセットであって、前側ユニットが機体に挿入されているとき、および前側ユニットが後側ユニット引出許容位置に位置しているときを含む機体から引き出されているときのいずれにも、前側ユニットに対し着脱可能とする
ことを特徴とする請求項１記載の循環式貨幣入出金機。
【請求項３】
補充回収紙幣収納部は、機体の前面側から後方に向けて順に配置される複数の区分収納部を有し、これら複数の区分収納部を補充紙幣の装填収納と回収紙幣の回収収納とに共用使用する
ことを特徴とする請求項１または２記載の循環式貨幣入出金機。
【請求項４】
補充回収紙幣収納部は、機体の前面側から後方に向けて順に配置される複数の区分収納部を有し、これら複数の区分収納部のうち、少なくともいずれか１つを所定金種の金種別紙幣収納投出部として用いる
ことを特徴とする請求項１または２記載の循環式貨幣入出金機。
【請求項５】
入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を金種別に一時保留する金種別入金紙幣一時保留部と、入金承認時に金種別入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、金種別入金紙幣一時保留部が紙幣繰込手段および紙幣識別搬送通路の下方に位置されるとともに金種別紙幣収納投出部が金種別入金紙幣一時保留部の下方に対応して位置され、機体の前面側から後方に向けて補充回収紙幣収納部、各金種別の金種別紙幣収納投出部の順に配列された循環式貨幣入出金機において、
前記補充回収紙幣収納部、各金種別の金種別紙幣収納投出部のうち、少なくとも機体の前面側の補充回収紙幣収納部を含む前面側の一部が搭載される前側ユニットと、
前記補充回収紙幣収納部、各金種別の金種別紙幣収納投出部のうち、前側ユニットに搭載される前面側の一部より後側の残りの全部が搭載される後側ユニットと、
前記前側ユニットを機体の前後方向に移動可能にガイドする第１のガイド手段と、
この第１のガイド手段により機体の前方所定域に引き出された前側ユニットを、機体の前面に対し左右方向のいずれか一方であって機体の前方への後側ユニットの引き出しを許容する後側ユニット引出許容位置へ移動可能にガイドする第２のガイド手段と、
前記後側ユニットを機体の前後方向に移動可能にガイドする第３のガイド手段と
を具備していることを特徴とする循環式貨幣入出金機。
【請求項６】
入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を一時保留する入金紙幣一時保留部と、入金承認時に入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、機体の前面側から後方に向けて補充回収紙幣収納部、各金種別の金種別紙幣収納投出部の順に配列された紙幣処理装置と、
入金硬貨を受け入れるとともに１枚ずつ繰り込む硬貨繰込手段と、この硬貨繰込手段によって繰り込まれる入金硬貨を搬送し搬送途上に入金硬貨の真偽および金種を識別する硬貨識別部が設けられる硬貨識別搬送通路と、この硬貨識別搬送通路から送られる入金正規硬貨を一時保留する入金硬貨一時保留部と、入金承認時に入金硬貨一時保留部の入金硬貨を金種別に収納するとともに出金時に必要枚数の出金硬貨を繰り出す金種別硬貨収納投出部と、この金種別硬貨収納投出部から回収される硬貨を収納する回収硬貨収納部とを備え、硬貨繰込手段、硬貨識別搬送通路、入金硬貨一時保留部、金種別硬貨収納投出部が紙幣処理装置の上部に設けられるとともに、回収硬貨収納部が紙幣処理装置の補充回収紙幣収納部の側部に設けられる硬貨処理装置と、
を備えた循環式貨幣入出金機において、
前記補充回収紙幣収納部、各金種別の金種別紙幣収納投出部のうち、少なくとも機体の前面側の補充回収紙幣収納部を含む前面側の一部が搭載されるとともに、前記回収硬貨収納部が搭載される前側ユニットと、
前記補充回収紙幣収納部、各金種別の金種別紙幣収納投出部のうち、前側ユニットに搭載される前面側の一部より後側の残りの全部が搭載される後側ユニットと、
前記前側ユニットを機体の前後方向に移動可能にガイドする第１のガイド手段と、
この第１のガイド手段により機体の前方所定域に引き出された前側ユニットを、機体の前面に対し左右方向のいずれか一方であって機体の前方への後側ユニットの引き出しを許容する後側ユニット引出許容位置へ移動可能にガイドする第２のガイド手段と、
前記後側ユニットを機体の前後方向に移動可能にガイドする第３のガイド手段と
を具備していることを特徴とする循環式貨幣入出金機。
【請求項７】
補充回収紙幣収納部および回収硬貨収納部は、紙幣カセットおよび硬貨カセットであって、前側ユニットが機体に挿入セットされているとき、および前側ユニットが後側ユニット引出許容位置に位置しているときを含む機体から引き出されるときのいずれにも、前側ユニットから着脱可能とする
ことを特徴とする請求項６記載の循環式貨幣入出金機。
【請求項８】
前側ユニットに設けられる前側ユニット側連結部と、後側ユニットに設けられ前側ユニット側連結部に連結される後側ユニット側連結部とを有し、これら前側ユニット側連結部と後側ユニット側連結部とは、前側ユニットおよび後側ユニットが第１のガイド手段および第３のガイド手段による前後方向移動域にあるときに連結され、前側ユニットが機体の前方所定域に引き出されて後側ユニット引出許容位置へ移動するときに連結が解かれる連結機構を具備している
ことを特徴とする請求項１ないし７いずれか記載の循環式貨幣入出金機。
【請求項９】
前側ユニットに設けられる第１の当接部材と、機体および後側ユニットのいずれか一方に前後方向に移動可能に設けられ第１の当接部材と当接可能な第２の当接部材とを有し、前側ユニットが後側ユニット引出許容位置に移動した後に後側ユニットが機体の前方で前側ユニットの左右方向側部へ移動するのに連動して、第２の当接部材が、第１の当接部材に当接可能とする位置であって後側ユニット引出許容位置から機体の前方所定域の原位置への前側ユニットの復帰移動時に前側ユニットと後側ユニットとが衝突する前に第１の当接部材と当接して規制する位置へ移動し、かつ後側ユニットが前側ユニットの左右方向移動を許容する機体の後部方向所定域まで挿入移動するのに連動して、第２の当接部材が第１の当接部材の左右方向移動を許容する位置へ移動する衝突防止機構を具備している
ことを特徴とする請求項１ないし８いずれか記載の循環式貨幣入出金機。
【請求項１０】
第１の当接部材は、前側ユニットの後部に設けられる第１の部材と、この第１の部材における前側ユニットの後側ユニット引出許容位置への移動方向後端に設けられる第２の部材とを有し、
前記第２の部材は、前側ユニットが前後方向移動域にあるときには前側ユニットの側部に前後方向に向く格納姿勢とされ、前側ユニットの後側ユニット引出許容位置への移動時には前側ユニットの側部から移動方向後部側に向く突出姿勢に変位する
ことを特徴とする請求項９記載の循環式貨幣入出金機。
【請求項１１】
第１の当接部材における第２の部材の後側ユニット引出許容位置への移動方向後端、および第２の当接部材の前端に、それぞれ相手側の当接部材に当接するローラを設けた
ことを特徴とする請求項１０記載の循環式貨幣入出金機。
【発明の詳細な説明】
【０００１】
【発明の属する技術分野】
本発明は、入金紙幣を出金紙幣に循環使用する循環式貨幣入出金機に関する。
【０００２】
【従来の技術】
従来、操作者により装填される入金紙幣を１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を一時保留する入金紙幣一時保留部と、入金承認時に入金紙幣一時保留部の入金紙幣を金種別に収納するとともに出金時に必要枚数の出金紙幣を繰り出す金種別紙幣収納投出部と、この金種別紙幣収納投出部へ補充する補充紙幣の繰り出しを可能とするとともに金種別紙幣収納投出部から回収する回収紙幣の収納を可能とする補充回収紙幣収納部とを備え、機体の前面側から後方に向けて補充回収紙幣収納部、各金種別の金種別紙幣収納投出部の順に配列された循環式貨幣入出金機がある（例えば、特許文献１参照）。
【０００３】
この循環式貨幣入出金機は、例えば銀行等で用いるのに好適で、特に２人のテラー（銀行係員）間に配置されて紙幣の入出金の取り扱いをするのに適している。特に、機体の前面から後方に向けて補充回収紙幣収納部、各金種別の金種別紙幣収納投出部の順に配列して機体の前面における左右方向の小スペース化を図っている。
【０００４】
この循環式貨幣入出金機の場合、機械の内部の保守、点検などのため、前後方向に配置された補充回収紙幣収納部、各金種別の金種別紙幣収納投出部を引出枠上に設けている。この引出枠は機体に設けられた前後方向のガイド手段を通じて、補充回収紙幣収納部、各金種別の金種別紙幣収納投出部の全て上面域が機体の前面より前方の引出位置まで引き出せるようにしている。
【０００５】
そして、循環式貨幣入出金機の内部の保守、点検などの場合、引出枠を引出位置まで引き出し、露出状態となった補充回収紙幣収納部、各金種別の金種別紙幣収納投出部の全ての保守点検ができるようにしている。
【０００６】
【特許文献１】
特開昭６２−１５７９９５号公報（第３−４頁、第１図、第３図（Ｂ））
【０００７】
【発明が解決しようとする課題】
従来の循環式貨幣入出金機で、補充回収紙幣収納部、各金種別の金種別紙幣収納投出部の全てを機体の前面より前方に引き出して露出させるには、これら補充回収紙幣収納部、各金種別の金種別紙幣収納投出部の全てが前後方向に並んだまま引き出すために、大きな引出寸法（例えば１００ｃｍ）を必要としている。
【０００８】
ところが、最近、市場では床面積の有効利用の要望があり、補充回収紙幣収納部、各金種別の金種別紙幣収納投出部の全てが前後方向に並んだまま機体の前面より前方に引き出すのに必要とする従来の引出寸法（例えば１００ｃｍ）から、例えば七割程度の引出寸法（例えば７０ｃｍ程度）に小さくして欲しいという要望ある。しかし、補充回収紙幣収納部、各金種別の金種別紙幣収納投出部の引出寸法が制限されれば、後部側の金種別紙幣収納投出部を機体の前面から露出させることができず、その後部側の金種別紙幣収納投出部の保守点検が困難になる。
【０００９】
本発明は、このような点に鑑みなされたもので、補充回収紙幣収納部、各金種別の金種別紙幣収納投出部の全てを前方へ引き出すのに必要とする引出寸法を小さくでき、狭いスペースでの使用やスペースの有効利用を図れ、それでいて補充回収紙幣収納部、各金種別の金種別紙幣収納投出部の全てを機体の前面から露出させて保守点検を容易にできる循環式貨幣入出金機を提供することを目的とする。
【００１０】
【課題を解決するための手段】
請求項１記載の循環式貨幣入出金機は、入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を一時保留する入金紙幣一時保留部と、入金承認時に入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、機体の前面側から後方に向けて補充回収紙幣収納部、各金種別の金種別紙幣収納投出部の順に配列された循環式貨幣入出金機において、前記補充回収紙幣収納部、各金種別の金種別紙幣収納投出部のうち、少なくとも機体の前面側の補充回収紙幣収納部を含む前面側の一部が搭載される前側ユニットと、前記補充回収紙幣収納部、各金種別の金種別紙幣収納投出部のうち、前側ユニットに搭載される前面側の一部より後側の残りの全部が搭載される後側ユニットと、前記前側ユニットを機体の前後方向に移動可能にガイドする第１のガイド手段と、この第１のガイド手段により機体の前方所定域に引き出された前側ユニットを、機体の前面に対し左右方向のいずれか一方であって機体の前方への後側ユニットの引き出しを許容する後側ユニット引出許容位置へ移動可能にガイドする第２のガイド手段と、前記後側ユニットを機体の前後方向に移動可能にガイドする第３のガイド手段とを具備しているものである。
【００１１】
そして、この構成では、補充回収紙幣収納部、各金種別の金種別紙幣収納投出部を前側ユニットおよび後側ユニットに分けて搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部の全てを前方へ引き出すのに必要とする引出寸法が小さくなり、狭いスペースでの使用やスペースの有効利用が図れ、それでいて補充回収紙幣収納部、各金種別の金種別紙幣収納投出部の全てが機体の前面から露出して保守点検が容易になる。
【００１２】
請求項２記載の循環式貨幣入出金機は、請求項１記載の循環式貨幣入出金機において、補充回収紙幣収納部は、紙幣カセットであって、前側ユニットが機体に挿入されているとき、および前側ユニットが後側ユニット引出許容位置に位置しているときを含む機体から引き出されているときのいずれにも、前側ユニットに対し着脱可能とするものである。
【００１３】
そして、この構成では、紙幣カセットによって紙幣の補充、回収が可能で、さらに、前側ユニットが機体に挿入されているとき、および前側ユニットが後側ユニット引出許容位置に位置しているときを含む機体から引き出されているときのいずれにも、紙幣カセットが前側ユニットに対し着脱可能で、操作性が向上する。
【００１４】
請求項３記載の循環式貨幣入出金機は、請求項１または２記載の循環式貨幣入出金機において、補充回収紙幣収納部は、機体の前面側から後方に向けて順に配置される複数の区分収納部を有し、これら複数の区分収納部を補充紙幣の装填収納と回収紙幣の回収収納とに共用使用するものである。
【００１５】
そして、この構成では、複数の区分収納部を補充紙幣の装填収納と回収紙幣の回収収納とに共用使用するため、金種別紙幣収納投出部への補充紙幣量、金種別紙幣収納投出部からの回収紙幣量をそれぞれ多く設定可能とする。
【００１６】
請求項４記載の循環式貨幣入出金機は、請求項１または２記載の循環式貨幣入出金機において、補充回収紙幣収納部は、機体の前面側から後方に向けて順に配置される複数の区分収納部を有し、これら複数の区分収納部のうち、少なくともいずれか１つを所定金種の金種別紙幣収納投出部として用いるものである。
【００１７】
そして、この構成では、複数の区分収納部のうち、少なくともいずれか１つを所定金種の金種別紙幣収納投出部として用いるため、金種別紙幣収納投出部の金種数が増加する。
【００１８】
請求項５記載の循環式貨幣入出金機は、入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を金種別に一時保留する金種別入金紙幣一時保留部と、入金承認時に金種別入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、金種別入金紙幣一時保留部が紙幣繰込手段および紙幣識別搬送通路の下方に位置されるとともに金種別紙幣収納投出部が金種別入金紙幣一時保留部の下方に対応して位置され、機体の前面側から後方に向けて補充回収紙幣収納部、各金種別の金種別紙幣収納投出部の順に配列された循環式貨幣入出金機において、前記補充回収紙幣収納部、各金種別の金種別紙幣収納投出部のうち、少なくとも機体の前面側の補充回収紙幣収納部を含む前面側の一部が搭載される前側ユニットと、前記補充回収紙幣収納部、各金種別の金種別紙幣収納投出部のうち、前側ユニットに搭載される前面側の一部より後側の残りの全部が搭載される後側ユニットと、前記前側ユニットを機体の前後方向に移動可能にガイドする第１のガイド手段と、この第１のガイド手段により機体の前方所定域に引き出された前側ユニットを、機体の前面に対し左右方向のいずれか一方であって機体の前方への後側ユニットの引き出しを許容する後側ユニット引出許容位置へ移動可能にガイドする第２のガイド手段と、前記後側ユニットを機体の前後方向に移動可能にガイドする第３のガイド手段とを具備しているものである。
【００１９】
そして、この構成では、補充回収紙幣収納部と、上部に金種別入金紙幣一時保留部が対応位置された各金種別の金種別紙幣収納投出部とを前側ユニットおよび後側ユニットに分けて搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部の全てを前方へ引き出すのに必要とする引出寸法が小さくなり、狭いスペースでの使用やスペースの有効利用が図れ、それでいて補充回収紙幣収納部、各金種別の金種別紙幣収納投出部の全てが機体の前面から露出して保守点検が容易になる。また、入金正規紙幣を金種別に一時保留する金種別入金紙幣一時保留部を用いることで、入金承認時の金種別一時保留紙幣の収納が迅速に可能となる。
【００２０】
請求項６記載の循環式貨幣入出金機は、入金紙幣を受け入れるとともに１枚ずつ繰り込む紙幣繰込手段と、この紙幣繰込手段によって繰り込まれる入金紙幣を搬送し搬送途上に入金紙幣の真偽および金種を識別する紙幣識別部が設けられる紙幣識別搬送通路と、この紙幣識別搬送通路から送られる入金正規紙幣を一時保留する入金紙幣一時保留部と、入金承認時に入金紙幣一時保留部の入金紙幣を金種別に収納するとともに出金時に必要枚数の出金紙幣を繰り出す金種別紙幣収納投出部と、この金種別紙幣収納投出部へ補充する補充紙幣を繰り出すとともに金種別紙幣収納投出部から回収される回収紙幣を収納する補充回収紙幣収納部とを備え、機体の前面側から後方に向けて補充回収紙幣収納部、各金種別の金種別紙幣収納投出部の順に配列された紙幣処理装置と、入金硬貨を受け入れるとともに１枚ずつ繰り込む硬貨繰込手段と、この硬貨繰込手段によって繰り込まれる入金硬貨を搬送し搬送途上に入金硬貨の真偽および金種を識別する硬貨識別部が設けられる硬貨識別搬送通路と、この硬貨識別搬送通路から送られる入金正規硬貨を一時保留する入金硬貨一時保留部と、入金承認時に入金硬貨一時保留部の入金硬貨を金種別に収納するとともに出金時に必要枚数の出金硬貨を繰り出す金種別硬貨収納投出部と、この金種別硬貨収納投出部から回収される硬貨を収納する回収硬貨収納部とを備え、硬貨繰込手段、硬貨識別搬送通路、入金硬貨一時保留部、金種別硬貨収納投出部が紙幣処理装置の上部に設けられるとともに、回収硬貨収納部が紙幣処理装置の補充回収紙幣収納部の側部に設けられる硬貨処理装置と、を備えた循環式貨幣入出金機において、前記補充回収紙幣収納部、各金種別の金種別紙幣収納投出部のうち、少なくとも機体の前面側の補充回収紙幣収納部を含む前面側の一部が搭載されるとともに、前記回収硬貨収納部が搭載される前側ユニットと、前記補充回収紙幣収納部、各金種別の金種別紙幣収納投出部のうち、前側ユニットに搭載される前面側の一部より後側の残りの全部が搭載される後側ユニットと、前記前側ユニットを機体の前後方向に移動可能にガイドする第１のガイド手段と、この第１のガイド手段により機体の前方所定域に引き出された前側ユニットを、機体の前面に対し左右方向のいずれか一方であって機体の前方への後側ユニットの引き出しを許容する後側ユニット引出許容位
置へ移動可能にガイドする第２のガイド手段と、前記後側ユニットを機体の前後方向に移動可能にガイドする第３のガイド手段とを具備しているものである。
【００２１】
そして、この構成では、補充回収紙幣収納部、各金種別の金種別紙幣収納投出部を前側ユニットおよび後側ユニットに分けて搭載するとともに、回収硬貨収納部を前側ユニットに搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部、回収硬貨収納部の全てを前方へ引き出すのに必要とする引出寸法が小さくなり、狭いスペースでの使用やスペースの有効利用が図れ、それでいて補充回収紙幣収納部、各金種別の金種別紙幣収納投出部、回収硬貨収納部の全てが機体の前面から露出して保守点検が容易になる。また、紙幣処理装置と硬貨処理装置との両方を備え、硬貨処理装置の大半の部分を紙幣処理装置の上部に配置したので、循環式貨幣入出金機を設置するための床面積は紙幣処理装置だけの場合と同等で床面積の有効利用が図れ、さらに、補充回収紙幣収納部および回収硬貨収納部が前側ユニットに搭載されるので、紙幣や硬貨の回収の操作性が向上する。
【００２２】
請求項７記載の循環式貨幣入出金機は、請求項６記載の循環式貨幣入出金機において、補充回収紙幣収納部および回収硬貨収納部は、紙幣カセットおよび硬貨カセットであって、前側ユニットが機体に挿入セットされているとき、および前側ユニットが後側ユニット引出許容位置に位置しているときを含む機体から引き出されるときのいずれにも、前側ユニットから着脱可能とするものである。
【００２３】
そして、この構成では、紙幣カセットおよび硬貨カセットによって紙幣の補充、回収、および硬貨の回収が可能で、さらに、前側ユニットが機体に挿入されているとき、および前側ユニットが後側ユニット引出許容位置に位置しているときを含む機体から引き出されているときのいずれにも、紙幣カセットおよび硬貨カセットが前側ユニットに対し着脱可能で、操作性が向上する。
【００２４】
請求項８記載の循環式貨幣入出金機は、請求項１ないし７いずれか記載の循環式貨幣入出金機において、前側ユニットに設けられる前側ユニット側連結部と、後側ユニットに設けられ前側ユニット側連結部に連結される後側ユニット側連結部とを有し、これら前側ユニット側連結部と後側ユニット側連結部とは、前側ユニットおよび後側ユニットが第１のガイド手段および第３のガイド手段による前後方向移動域にあるときに連結され、前側ユニットが機体の前方所定域に引き出されて後側ユニット引出許容位置へ移動するときに連結が解かれる連結機構を具備しているものである。
【００２５】
そして、この構成では、前側ユニットが機体の前方所定域に引き出されるときに連結機構の連結を介して後側ユニットが機体の前面側に移動するため、後側ユニットの機体からの引出操作が容易になる。しかも、前側ユニットが機体の前方所定域に引き出されるときに後側ユニットと連結状態にあり、前側ユニットが機体の前方所定域に引き出されて後側ユニット引出許容位置へ移動するときに後側ユニットとの連結が解かれ、後側ユニットが機体側へ挿入された後、前側ユニットが後側ユニット引出許容位置から機体の前方所定域に復帰移動して機体に挿入されたときに後側ユニットと連結されるため、手操作による連結操作および連結解除操作の必要がなく、それら連結および連結解除が自動的に可能で、操作性が向上する。
【００２６】
請求項９記載の循環式貨幣入出金機は、請求項１ないし８いずれか記載の循環式貨幣入出金機において、前側ユニットに設けられる第１の当接部材と、機体および後側ユニットのいずれか一方に前後方向に移動可能に設けられ第１の当接部材と当接可能な第２の当接部材とを有し、前側ユニットが後側ユニット引出許容位置に移動した後に後側ユニットが機体の前方で前側ユニットの左右方向側部へ移動するのに連動して、第２の当接部材が、第１の当接部材に当接可能とする位置であって後側ユニット引出許容位置から機体の前方所定域の原位置への前側ユニットの復帰移動時に前側ユニットと後側ユニットとが衝突する前に第１の当接部材と当接して規制する位置へ移動し、かつ後側ユニットが前側ユニットの左右方向移動を許容する機体の後部方向所定域まで挿入移動するのに連動して、第２の当接部材が第１の当接部材の左右方向移動を許容する位置へ移動する衝突防止機構を具備しているものである。
【００２７】
そして、この構成では、前側ユニットが後側ユニット引出許容位置に移動した後に後側ユニットが機体の前方で前側ユニットの左右方向側部へ移動するのに連動して、機体または後側ユニットに設けられた第２の当接部材が前側ユニットに設けられた第１の当接部材と当接可能とする位置へ移動するため、前側ユニットが後側ユニット引出許容位置から機体の前方所定域の原位置へ復帰移動するとき、その移動域に後側ユニットが位置する場合でも、前側ユニットと後側ユニットとが衝突する前に第１の当接部材と第２の当接部材とが当接し、前側ユニットと後側ユニットとが衝突するのが防止される。
【００２８】
請求項１０記載の循環式貨幣入出金機は、請求項９記載の循環式貨幣入出金機において、第１の当接部材は、前側ユニットの後部に設けられる第１の部材と、この第１の部材における前側ユニットの後側ユニット引出許容位置への移動方向後端に設けられる第２の部材とを有し、前記第２の部材は、前側ユニットが前後方向移動域にあるときには前側ユニットの側部に前後方向に向く格納姿勢とされ、前側ユニットの後側ユニット引出許容位置への移動時には前側ユニットの側部から移動方向後部側に向く突出姿勢に変位するものである。
【００２９】
そして、この構成では、第１の当接部材が、前側ユニットの後部に設けられる第１の部材と、この第１の部材における前側ユニットの後側ユニット引出許容位置への移動方向後端に設けられる第２の部材とを有しており、前側ユニットが前後方向移動域にあるときには、第２の部材が前側ユニットの側部に前後方向に向く格納姿勢となるため、スペースをとらず、前側ユニットの前後方向移動に影響がなく、また、前側ユニットの後側ユニット引出許容位置への移動時には、第２の部材が前側ユニットの側部から移動方向後部側に向く突出姿勢に変位するため、衝突防止が確実になる。
【００３０】
請求項１１記載の循環式貨幣入出金機は、請求項１０記載の循環式貨幣入出金機において、第１の当接部材における第２の部材の後側ユニット引出許容位置への移動方向後端、および第２の当接部材の前端に、それぞれ相手側の当接部材に当接するローラを設けたものである。
【００３１】
そして、この構成では、第１の当接部材における第２の部材の後側ユニット引出許容位置への移動方向後端、および第２の当接部材の前端に、それぞれ相手側の当接部材に当接するローラを設けたため、当接する場合でも各当接部材とローラとの当接であり、衝突防止機構の損傷が低減される。
【００３２】
【発明の実施の形態】
以下、本発明の一実施の形態を図面を参照して説明する。
【００３３】
図１、図２、図７において、１１は銀行等の金融機関において左右の２人のテラー（銀行係員）間に設置されて紙幣、硬貨の入出金の取り扱いが可能な循環式貨幣入出金機で、この循環式貨幣入出金機１１は、縦型で、前面から見て前後方向（機体１２の奥行き方向）の寸法が長く、機体１２の前面に対して左右方向（幅方向）の寸法が小さく構成された機体１２を有し、この機体１２の上面手前側から前面上部側にかけて操作部１３が配設されている。
【００３４】
操作部１３の上面手前側の左右方向中央位置には、上方に向けて開口された硬貨入金口１４が形成されている。この硬貨入金口１４は、シャッタ１５で自動開閉され、このシャッタ１５の開放により硬貨の投入が可能としている。
【００３５】
操作部１３の前面最上部の左右方向中央位置でかつ硬貨入金口１４の前側には、斜め上方に向けて開口された紙幣入金口１６が形成されている。この紙幣入金口１６は、シャッタ１７で自動開閉され、このシャッタ１７の開放により紙幣の投入が可能としている。なお、紙幣は、紙幣の長手方向を機体１２の左右方向に、紙幣の短手方向を機体１２の奥行き方向にそれぞれ合わせて、紙幣入金口１６に挿入される。
【００３６】
操作部１３の前面の左右方向中央位置でかつ紙幣入金口１６の下方には、斜め上方に向けて開口された紙幣出金口１８が形成されている。この紙幣出金口１８は、シャッタ１９で自動開閉され、このシャッタ１９の開放により紙幣出金口１８に機体１２内から払い出された紙幣の取り出しが可能となっている。紙幣出金口１８の両側近傍には、紙幣出金口１８に紙幣が払い出されたことを点滅表示する紙幣出金ランプ２０がそれぞれ配設されている。なお、紙幣は、紙幣の長手方向を機体１２の左右方向に、紙幣の短手方向を機体１２の奥行き方向にそれぞれ合わせて、紙幣出金口１８から払い出される。
【００３７】
操作部１３の前面の左右方向中央位置でかつ紙幣出金口１８の下方には、前方に向けて開口されたリジェクトボックス取出口２１が形成され、このリジェクトボックス取出口２１内にリジェクト紙幣を収納するリジェクトボックス２２が着脱可能に配置されている。リジェクトボックス取出口２１は、リジェクトボックス取出口２１の閉鎖状態で施錠、解錠するリジェクトボックスキー２３を有する蓋体２４で開閉される。
【００３８】
操作部１３の前面の左右方向左右端位置でかつ紙幣出金口１８の近傍には、左右のテラー用に硬貨出金口２５がそれぞれ形成されている。この各硬貨出金口２５は、機体１２の左右方向左右端位置にそれぞれ形成された凹状の硬貨出金ボックス取付部２６に位置され、この硬貨出金ボックス取付部２６には機体１２内から払い出される硬貨を受け入れる硬貨出金ボックス２７が着脱可能に配置されている。硬貨出金ボックス２７は硬貨出金ボックス取付部２６に装填された状態で図示しない施錠機構によって施錠、解錠されるように構成されている。各硬貨出金口２５の近傍には、対応する硬貨出金口２５に硬貨が払い出されたことを点滅表示する硬貨出金ランプ２８がそれぞれ配設されている。
【００３９】
操作部１３の上面の左右方向左右端位置には、左右のテラー用にキー入力部２９がそれぞれ配設され、これら各キー入力部２９には、左右のテラーで硬貨（硬貨処理装置）および紙幣（紙幣処理装置）の入出金処理の占有を指示および処理開始を指示する紙幣処理装置占有キー３０ａおよび硬貨処理装置占有キー３０ｂがそれぞれ配設されているとともに、処理をキャンセルする紙幣用キャンセルキー３１ａおよび硬貨用キャンセルキー３１ｂがそれぞれ配設されている。これら各キー３０ａ〜３１ｂには図示しないランプが内蔵され、このランプは、例えば対応する各処理ユニットが占有されている場合に点灯、対応する各所理ユニットが占有されていない場合に消灯する等、必要に応じて点灯、消灯されるように構成されている。
【００４０】
操作部１３の前面には、紙幣入金口１６の左側に装置の電源をオンオフする電源スイッチ３２が配設され、紙幣出金口１８の左側に入金出金モード管理キー３３が配設され、紙幣出金口１８の右側に上部キー３４が配設されている。入金出金モード管理キー３３は、テラーモードと精査モードとに切換可能とし、テラーモードでは入金処理や出金処理等が実行され、精査モードでは紙幣および硬貨の装填や締上収集等が実行される。上部キー３４では、機体１２の上部ユニットを施錠、解錠する。
【００４１】
機体１２の前面でかつ操作部１３のリジェクトボックス取出口２１の下方には、機体１２の前面下部の開口部１２ａを開閉する扉体３５が一側（右側）のヒンジ機構を介して開閉可能に取り付けられている。この扉体３５の他側（左側）には、扉体３５の閉鎖状態で施錠、解錠される扉体キー３６が配設されている。
【００４２】
また、機体１２は、図１および図２に示すように、下部ユニット３７と上部ユニット３８とを有し、下部ユニット３７と上部ユニット３８とはそれぞれ独立して前後方向に移動可能に構成されている。各ユニット３７，３８の下部には複数の車輪３９がそれぞれ配設され、これら車輪３９によって走行移動可能に構成されている。
【００４３】
次に、図１において、４１は循環式貨幣入出金機１１の紙幣処理装置で、この紙幣処理装置４１は、入金紙幣を出金紙幣に循環使用するもので、機体１２内に配設され、紙幣搬送部４２、紙幣識別部４３、入金紙幣一時保留部としての金種別入金紙幣一時保留部４４ａ〜４４ｃ、金種別紙幣収納投出部としての金種別のスタッカ４５ａ〜４５ｃ、および補充回収紙幣収納部としての紙幣カセット４６を有し、この紙幣カセット４６は複数（第１および第２）の区分収納部４６ａ，４６ｂを備えている。この紙幣カセット４６は前面に取手４６ｃを有し、この紙幣カセット４６を機体１２の前側へ引き出すときにこの取手４６ｃを用いる。
【００４４】
紙幣搬送部４２は、紙幣入金口１６に投入される入金紙幣の入金処理と紙幣出金口１８へ払い出す出金紙幣の出金処理とに応じて紙幣を反対方向（以下、紙幣入金口１６から紙幣が搬送される方向に対応した方向を順送り方向といい、この順送り方向と反対方向を逆送り方向という）へ搬送する双方向搬送可能に、ベルト機構やローラ機構等によって構成されている。そして、紙幣搬送部４２は、紙幣入金口１６から操作者により装填される入金紙幣を立位集積状態で受け入れ、それら入金紙幣を１枚ずつ繰り込む紙幣繰込手段４７を有し、この紙幣繰込手段４７から繰り出される紙幣を搬送する入金搬送路４８が形成され、この入金搬送路４８から紙幣を受け入れて搬送する循環搬送路４９が形成され、この循環搬送路４９から各スタッカ４５ａ〜４５ｃおよび各区分収納部４６ａ，４６ｂに対して順送り方向に搬送される紙幣を導入する導入搬送路５０がそれぞれ形成され、各スタッカ４５ａ〜４５ｃおよび各区分収納部４６ａ，４６ｂから循環搬送路４９に対して紙幣を逆送り方向に導出する導出搬送路５１がそれぞれ形成され、循環搬送路４９から紙幣出金口１８に紙幣を搬送する出金搬送路５２が形成され、この出金搬送路５２で搬送されてくる紙幣を集積するとともに集積された紙幣を紙幣出金口１８から前方へ突出移動させる紙幣出金部５３、循環搬送路４９からリジェクトボックス２２にリジェクト紙幣を搬送するリジェクト搬送路５４が形成され、循環搬送路４９の途中に紙幣の表裏を反転させる表裏反転部５５が形成されている。そして、入金搬送路４８と、紙幣識別部５３が設けられる循環搬送路４９によって、紙幣繰込手段４７によって繰り込まれる入金紙幣を搬送し搬送途上に入金紙幣の真偽および金種を識別する紙幣識別搬送通路５６が構成されている。
【００４５】
循環搬送路４９は、入金搬送路４８から装置後方へ延びる上側搬送路５７、およびこの上側搬送路５７の後端から折返して装置前方へ延びる下側搬送路５８を有し、これら上側搬送路５７から下側搬送路５８にかけて紙幣の双方向搬送が可能に構成されている。上側搬送路５７の前端と下側搬送路５８の前端との間には、下側搬送路５８から上側搬送路５７に紙幣を送る順送り搬送路５９が形成されているとともに、この順送り搬送路５９より装置後方で上側搬送路５７から下側搬送路５８に紙幣を送る逆送り搬送路６０が形成されている。そして、順送り搬送路５９を順送り方向に搬送される紙幣が出金搬送路５２およびリジェクト搬送路５４に搬送可能に構成されている。
【００４６】
表裏反転部５５は、上側搬送路５７を逆送り方向に搬送される紙幣を受け入れて搬送するとともに、搬送途中で搬送方向を逆転させてから逆送り搬送路６０を通じて下側搬送路５８に搬送するようにしており、これにより紙幣の表裏が逆転される。
【００４７】
また、紙幣識別部４３は、紙幣搬送部４２の循環搬送路４９の上側搬送路５７の後端側に配設され、紙幣搬送部４２にて双方向に搬送される紙幣の金種や真偽を識別可能に構成されている。
【００４８】
また、金種別入金紙幣一時保留部４４ａ〜４４ｃは、紙幣の全金種（例えば千円、五千円、一万円）に対応して金種毎に備える各スタッカ４５ａ〜４５ｃの上部域にそれぞれ対応して配設されており、紙幣搬送部４２の循環搬送路４９から対応する導入搬送路５０を通じて搬送されてくる紙幣を集積し、一時保留紙幣の収納時には一時保留紙幣が下方のスタッカ４５ａ〜４５ｃ内に収納され、一時保留紙幣の返却時には一時保留紙幣が導出搬送路５１を通じて循環搬送路４９に１枚ずつ繰り出される。
【００４９】
また、各スタッカ４５ａ〜４５ｃは、紙幣の全金種（例えば千円、五千円、一万円）に対応して金種毎に備え、これらが機体１２内に前後方向に沿って並列に配設され、紙幣搬送部４２の循環搬送路４９から対応する導入搬送路５０を通じて金種別入金紙幣一時保留部４４ａ〜４４ｃに一時保留された紙幣を収納時に受け入れて集積収納するとともに、収納された紙幣を対応する導出搬送路５１を通じて循環搬送路４９に繰出可能に構成されている。各スタッカ４５ａ〜４５ｃ内には、収納される紙幣を載せて昇降するリフト６１が配設され、このリフト６１を昇降駆動するリフト駆動部６２がスタッカ４５ａ〜４５ｃの後側に配設されている。
【００５０】
金種別入金紙幣一時保留部４４ａ〜４４ｃと金種毎の各スタッカ４５ａ〜４５ｃについてその詳細を述べると、各々スタッカ４５ａ〜４５ｃの紙幣収納空間における上部域に選択的に進退する各一時保留板が設けられ、各一時保留板の進出によって各スタッカ４５ａ〜４５ｃの収納空間上部域に金種別入金紙幣一時保留部４４ａ〜４４ｃが形成される。各一時保留板はそれぞれ独立した進退駆動部で各スタッカ４５ａ〜４５ｃの紙幣収納空間に対し進退する。各スタッカ４５ａ〜４５ｃの各収納空間の上部、特に各収納空間において一時的に各金種別入金紙幣一時保留部４４ａ〜４４ｃが形成される形成域の上部には、入金紙幣の出金を行うための紙幣繰込み繰出手段（図１９参照）が設けられている。
【００５１】
そして、補充紙幣の繰込み時とか、入金紙幣の繰込み時には、それに先立って各スタッカ４５ａ〜４５ｃの収納空間上部域の一定高さ位置へ各一時保留板が進出し、上部の紙幣繰込み繰出手段との間に各金種別入金紙幣一時保留部４４ａ〜４４ｃを形成する。次に、紙幣繰込み繰出手段が繰込み駆動され、搬送されてくる紙幣は一時保留板上に集積されて一時保留される。この一時保留紙幣の収納時には各一時保留板が収納空間外へ退避し、一時保留紙幣はリフト６１上の収納紙幣（上下に重積状態で収納）の上部に移載収納される。
【００５２】
また、一時保留紙幣の返却時には、一時保留板が進出状態において収納紙幣を上部に載せたリフト６１が上昇し、一時保留板とその上の一時保留紙幣は収納紙幣を載せたリフト６１の上昇を通じて上昇され、紙幣繰込み繰出手段に押圧され、その押圧力が所定圧になった状態でリフト６１の上昇が一時停止する。次に、紙幣繰込み繰出手段が繰出し駆動され、一時保留板上の一時保留紙幣が導出搬送路５１へ送り出される。一時保留紙幣の繰り出しに伴い、リフト６１が上昇し、一時保留紙幣は常に所定圧で紙幣繰込み繰出手段に押圧保持されている。一時保留板上の一時保留紙幣がなくなり、所定時間経過すると、リフト６１が下降し、リフト６１上の収納紙幣の下降で一時保留板も下降し、一定高さ位置（収納空間に対する進退位置）で止まる。リフト６１上の収納紙幣の上面が一時保留板より十分に下降すると、一時保留板は進退駆動部を通じて収納空間外へ退避する。
【００５３】
出金時は一時保留板が収納空間から退避した状態において、リフト６１が上昇し、収納紙幣を紙幣繰込み繰出手段に押圧し、紙幣繰込み繰出手段の繰出し駆動で紙幣が１枚ずつ導出搬送路５１へ繰り出される。紙幣の繰り出しに伴い、紙幣繰込み繰出手段への押圧力が低下すると、リフト６１が上昇し、押圧力を所定圧に保つ。
【００５４】
また、紙幣カセット４６は、第１の区分収納部４６ａおよび第２の区分収納部４６ｂを有し、これら区分収納部４６ａ，４６ｂは、各スタッカ４５ａ〜４５ｃの前側に機体１２の前後方向に沿って並列に配設され、各区分収納部４６ａ，４６ｂに装填された補充紙幣が対応する導出搬送路５１を通じて循環搬送路４９に繰り出されるとともに、各スタッカ４５ａ〜４５ｃからの回収紙幣が循環搬送路４９から対応する導入搬送路５０を通じて収納される。各区分収納部４６ａ，４６ｂ内には、収納される紙幣を載せて昇降するリフト６３が配設されている。これら各リフト６３も図示しないリフト駆動部によってそれぞれ昇降される。
【００５５】
後側の一方の区分収納部４６ｂの上部には、入金時に各スタッカ４５ａ〜４５ｃまたは金種別入金紙幣一時保留部４４ａ〜４４ｃに入りきらないオーバーフロー紙幣や識別不能なリジェクト紙幣を一時保留する紙幣一時保留部６４が配設されている。この紙幣一時保留部６４では、紙幣搬送部４２から対応する導入搬送路５０を通じて搬送されてくる紙幣が集積され、一時保留紙幣の収納時には一時保留紙幣が下方の区分収納部４６ｂ内に収納され、一時保留紙幣の返却時や再識別時には一時保留紙幣が対応する導出搬送路５１を通じて循環搬送路４９に１枚ずつ繰り出される。
【００５６】
紙幣カセット４６の各区分収納部４６ａ，４６ｂについてその詳細を述べると、各区分収納部４６ａ，４６ｂの上方には紙幣繰込み繰出手段（図１９参照）が設けられ、各紙幣繰込み繰出手段と各区分収納部４６ａ，４６ｂとの間には上下開放の四角枠（図示せず）が設けられ、紙幣の収納空間の一部として機能する。
【００５７】
区分収納部４６ａについては、紙幣繰出時はリフト６３の上昇で収納紙幣を紙幣繰込み繰出手段に押圧し、紙幣繰込み繰出手段の繰出し駆動で紙幣が１枚ずつ導出搬送路５１へ繰り出される。これはスタッカ４５ａ〜４５ｃの出金時と同じ動作である。区分収納部４６ａへの紙幣の収納時は、リフト６３上の収納紙幣上面と紙幣繰込み繰出手段との間に紙幣送込み空間を形成し、紙幣繰込み繰出手段の繰込み駆動により、導入搬送路５０を搬送されてくる紙幣を紙幣送込み空間へ送込み集積させる。送込み紙幣が増えるにつれ、リフト６３を下降させ、紙幣の送込み集積に適切な紙幣送込み空間を作り出す。
【００５８】
区分収納部４６ｂの上部と紙幣繰込み繰出手段との間に形成される紙幣一時保留部６４については、区分収納部４６ｂの上部一定高さ位置で進退する一時保留板を有し、この一時保留板と紙幣繰込み繰出手段との間に一時的な一時保留空間を形成する。この一時保留板およびリフト６３の動作（紙幣一時保留時、一時保留紙幣の繰出し時、一時保留板の退避状態での紙幣繰出時の各動作）は、スタッカ４５ａ〜４５ｃ内の一時保留板およびリフト６１の動作と同じである。
【００５９】
また、図１および図２に示すように、機体１２内の下部には、機体１２の前面の開口部１２ａを通じて機体１２の前方に引出可能とする前側ユニット７１および後側ユニット７２がそれぞれ配列されている。前側ユニット７１には、各区分収納部４６ａ，４６ｂを前後方向に配列させた紙幣カセット４６が着脱可能に搭載されるほか、各区分収納部４６ａ，４６ｂに対応して紙幣一時保留部６４、各リフト駆動部６２、紙幣搬送部４２の一部等が搭載され、さらに、区分収納部４６ａ，４６ｂの左右方向一側部すなわち右側部に硬貨カセット１３５が着脱可能に搭載されている。後側ユニット７２には、各スタッカ４５ａ〜４５ｃが前後方向に配列されて搭載されるほか、各スタッカ４５ａ〜４５ｃに対応して金種別入金紙幣一時保留部４４ａ〜４４ｃ、各リフト駆動部６２、紙幣搬送部４２の一部等が搭載されている。
【００６０】
前側ユニット７１は、第１のガイド手段７３によって機体１２の前後方向に移動可能にガイドされるとともに、第２のガイド手段７４によって機体１２の左右方向のいずれか一方であって本実施の形態では右方向に移動可能にガイドされる。後側ユニット７２は、第３のガイド手段７５によって機体１２の前後方向に移動可能にガイドされる。
【００６１】
第１のガイド手段７３は、前側ユニット７１を、この前側ユニット７１が機体１２内に挿入された所定挿入域と前側ユニット７１が機体１２の前面から完全に引き出された前方所定域Ａ１との間で前後方向に移動可能にガイドするもので、機体１２の左右両側底部に前後方向に沿って配設された第１のガイド部７６、これら第１のガイド部７６に対し前後方向にスライド可能な第１のスライド部７７を有し、これら第１のスライド部７７上に支持部７８が取り付けられ、この支持部７８上に第２のガイド手段７４を介して前側ユニット７１が支持されている。
【００６２】
第２のガイド手段７４は、第１のガイド手段７３により機体１２の前方所定域Ａ１に引き出された前側ユニット７１を、機体１２の前面に対し右方向であって機体１２の前方への後側ユニット７２の引き出しを許容する後側ユニット引出許容位置Ａ２へ移動可能にガイドするもので、支持部７８上の前端側に左右方向に沿って配設された一対の第２のガイド部７９、これら第２のガイド部７９によって左右方向に移動可能な第２のスライド部８０を有し、これら第２のスライド部８０上に前側ユニット取付台８１が取り付けられ、この前側ユニット取付台８１上に前側ユニット７１が着脱可能に支持されている。
【００６３】
第３のガイド手段７５は、後側ユニット７２を、この後側ユニット７２が機体１２内に挿入された所定挿入域と後側ユニット７２が機体１２の前面から完全に引き出された前方所定域Ａ１との間で前後方向に移動可能にガイドするもので、機体１２の左右両側内壁面に前後方向に沿って取り付けられた第３のガイド部８２、これら第３のガイド部８２に対し前後方向にスライド可能な第３のスライド部８３を有し、これら第３のスライド部８３によって後側ユニット７２の左右両側外面が支持されている。
【００６４】
また、前側ユニット７１の前面には、機体１２内から前側ユニット７１を引出操作する取手（図示せず）が設けられている。
【００６５】
また、図１、図２、図５に示すように、前側ユニット７１を機体１２の前方へ引き出す際に後側ユニット７２を一緒に機体１２の前部方向へ移動させるために、前側ユニット７１と後側ユニット７２とを連結する連結機構８６が設けられている。この連結機構８６は、前側ユニット７１を後側ユニット引出許容位置Ａ２へ向けて移動させる方向に対応した前側ユニット７１および後側ユニット７２の一側すなわち右側に設けられ、前側ユニット７１の右側後部に設けられる前側ユニット側連結部としてのフック８７と、後側ユニット７２の右側前部に設けられフック８７が引っ掛かる後側ユニット側連結部としての凹部８８とを有している。
【００６６】
フック８７は、基端が前側ユニット７１に支軸８９によって回動可能に取り付けられ、先端が後方へ向けて突出され、その先端の他側すなわち左側に後側ユニット７２の凹部８８に係合可能とする爪部９０が形成され、支軸８９に装着される捩りばね９１によって爪部９０が凹部８８に係合する連結方向に付勢されている。爪部９０の前面側は前後方向に対して交差する係止面に、後面側は前後方向に対して傾斜する傾斜面に形成されており、図５に示すように、離れた状態にある前側ユニット７１と後側ユニット７２とが接近移動する際に、フック８７の爪部９０の傾斜面が後側ユニット７２の前端と当接して、捩りばね９１の付勢に抗してフック８７が逃げながら凹部８８に係合可能としている。
【００６７】
そして、これらフック８７と凹部８８とは、前側ユニット７１および後側ユニット７２が第１のガイド手段７３および第３のガイド手段７５による前後方向移動域にあるときに連結され、前側ユニット７１が機体１２の前方所定域Ａ１に引き出された後に後側ユニット引出許容位置Ａ２へ移動するときに連結が解かれ、また後側ユニット７２が機体１２側へ挿入された後、前側ユニット７１が後側ユニット引出許容位置Ａ２から機体１２の前方所定域Ａ１に復帰移動して機体１２に挿入されたときに後側ユニット７２と連結されるように構成されている。なお、フック８７と凹部８８とはフックとピンとの構成でもよく、またそれらの配置は前側ユニット７１側と後側ユニット７２側とを入れ換えて設けてもよい。
【００６８】
また、紙幣処理装置４１は、前側ユニット７１の紙幣カセット４６の区分収納部４６ａ，４６ｂおよびリフト駆動部（図示せず、リフト駆動部６２と同様の構造）や対応する紙幣搬送部４２の一部等を有するブロック、後側ユニット７２の各スタッカ４５ａ〜４５ｃおよび各リフト駆動部６２，６２，６２や対応する紙幣搬送部４２の一部等を有する各ブロック、機体１２の前側の紙幣搬送部４２の一部等を有する上部ユニット３８の一部のブロック、機体１２の後側の紙幣搬送部４２の一部や紙幣識別部４３等を有する上部ユニット３８の一部のブロック等にそれぞれブロック化され、それら各ブロック毎に機構および制御がそれぞれ独立されている。
【００６９】
また、機体１２に挿入セットした状態では各ブロック間の紙幣搬送部４２に隙間が生じないように各ブロック間を密着させているが、各スタッカ４５ａ〜４５ｃの各ブロックにはプッシュレバー９４が設けられており、後側ユニット７２を機体１２から引き出した際にプッシュレバー９４によって各スタッカ４５ａ〜４５ｃ間に隙間を作り、スタッカ４５ａ〜４５ｃの紙幣搬送部４２を開けやすくして、詰まった紙幣の除去等の復旧処理やメンテナンスが容易にできるようになっている。
【００７０】
また、図１、図２、図６、図８に示すように、前側ユニット７１と後側ユニット７２との衝突を防止する衝突防止機構９７を備えている。この衝突防止機構９７は、前側ユニット７１に設けられる第１の当接部材９８と、機体１２に前後方向に移動可能に設けられ第１の当接部材９８と当接可能な第２の当接部材９９とを有している。前側ユニット７１が後側ユニット引出許容位置Ａ２に移動した後に後側ユニット７２が機体１２の前方で前側ユニット７１の左右方向側部へ移動するのに連動して、第２の当接部材９９が、第１の当接部材９８に当接可能とする位置であって後側ユニット引出許容位置Ａ２から機体１２の前方所定域Ａ１の原位置への前側ユニット７１の復帰移動時に前側ユニット７１と後側ユニット７２とが衝突する前に第１の当接部材９８と当接して規制する位置へ移動し、かつ後側ユニット７２が前側ユニット７１の左右方向移動を許容する機体１２の後部方向所定域まで挿入移動するのに連動して、第２の当接部材９９が第１の当接部材９８の左右方向移動を許容する位置へ移動するように構成されている。
【００７１】
第１の当接部材９８は、前側ユニット７１の後部に左右方向に沿って固定される第１の部材としての第１のアーム１００を有し、この第１のアーム１００における前側ユニット７１の後側ユニット引出許容位置Ａ２への移動方向後端すなわち左端に軸１０１によって第２の部材としての第２のアーム１０２の基端が回動可能に設けられている。軸１０１には第２のアーム１０２が第１のアーム１００に対し略直線状となる方向に向けて付勢する捩りばね１０３が装着されており、この捩りばね１０３の付勢による第２のアーム１０２の回動は第２のアーム１０２の後部内面１０２ａが第１のアーム１００の後部外面１００ａに当接して第２のアーム１０２が第１のアーム１００に対し略直線状となる位置で規制される。第２のアーム１０２の先端にはローラ１０４が回転可能に軸支されている。また、前側ユニット７１には、前側ユニット７１が前後方向移動域にあるときに、第２のアーム１０２が前側ユニット７１の左側部で前方に向く格納姿勢にガイドするガイド１０５が設けられている。このガイド１０５は、一対の第２のガイド部７９のうち前後方向後列の第２のガイド部７９に固定されている。
【００７２】
そして、第２のアーム１０２は、前側ユニット７１が前後方向移動域にあるときにはガイド１０５によって前側ユニット７１の左側部に前方に向く格納姿勢とされ、前側ユニット７１の後側ユニット引出許容位置Ａ２への移動時には前側ユニット７１の側部から移動方向後部側すなわち左方向に向いて第１のアーム１００に対し直線状となる突出姿勢（衝突防止姿勢）に変位され、また、前側ユニット７１が後側ユニット引出許容位置Ａ２から機体１２の前方所定域Ａ１に復帰移動するときには突出姿勢にある第２のアーム１０２のローラ１０４がガイド１０５の湾曲部１０５ａに当接して前方へ導かれて格納姿勢に変位する。
【００７３】
第１のアーム１００の外側には第３のアーム１０６が配置され、第１のアーム１００の上面から突設された複数のピン１０７に第３のアーム１０６の上面に設けられた長孔１０８が係合されており、第１のアーム１００における前側ユニット７１の後側ユニット引出許容位置Ａ２への移動方向前端すなわち右側から第２の当接部材９９の前方域に第３のアーム１０６が進退可能に設けられている。第１のアーム１００と第３のアーム１０６との間には第３のアーム１０６が進出する方向に付勢するスプリング１０９が設けられている。第３のアーム１０６の先端下面にはローラ１１０が回転可能に軸支されている。
【００７４】
機体１２には、第２の当接部材９９より下側で第３のアーム１０６のローラ１１０の高さ位置に対応して、前側ユニット７１が機体１２の前方所定域Ａ１に引き出されたときに第３のアーム１０６をスプリング１０９の付勢によって第２の当接部材９９の前方に進出させ、前側ユニット７１を機体１２に挿入するときにローラ１１０が当接して第３のアーム１０６をスプリング１０９の付勢に抗して第２の当接部材９９の前方から側方に退避移動させるガイド１１２が設けられている。
【００７５】
また、第２の当接部材９９は、第１の当接部材９８の各アーム１００，１０２，１０６の高さに対応した高さで、機体１２に対し前後方向に移動可能に支持された第４のアーム１１３を有し、この第４のアーム１１３の前端にローラ１１４が回転可能に軸支されている。図８に示すように、第４のアーム１１３の後端下面に突部１１５が突設され、機体１２には突部１１５の移動域の前後方向の所定位置に突部１１５と当接して第４のアーム１１３の移動を規制する前側ストッパ１１６および後側ストッパ１１７が配設されている。機体１２には、第４のアーム１１３に接触して第４のアーム１１３の移動に抵抗を与える摩擦部材１１８が設けられている。
【００７６】
第４のアーム１１３の後端上面に支持板１１９が立設され、この支持板１１９に揺動アーム１２０が下側位置の支点１２１を中心として揺動可能に軸支され、支持板１１９の前側位置と揺動アーム１２０の上側位置との間に、支持板１１９の後側位置と揺動アーム１２０の前記上方位置との間に装着される２本のばね１２２，１２２によって揺動アーム１２０が上方に立ち上がる姿勢を保つように付勢されている。後側ユニット７２の右側後部には、後側ユニット７２の前方または後方への移動時に揺動アーム１２０の後部または前部と当接して第４のアーム１１３を一緒に移動させるピン１２３が突設されている。このとき、ばね１２２，１２２による揺動アーム１２０の保持力は、摩擦部材１１８による第４のアーム１１３の移動抵抗より大きく、ピン１２３が揺動アーム１２０に当接した状態で第４のアーム１１３を押動移動させることができ、かつ、突部１１５が前側ストッパ１１６または後側ストッパ１１７に当接して第４のアーム１１３の移動が規制されたときに揺動アーム１２０の揺動を許容してピン１２３が揺動アーム１２０を乗り越えられるように構成されている。
【００７７】
次に、図３および図４は、循環式貨幣入出金機１１の硬貨処理装置１３１を示し、この硬貨処理装置１３１は、入金硬貨を出金硬貨に循環使用するもので、機体１２の紙幣処理装置４１の上部に配設される硬貨搬送部１３２、硬貨識別部１３３および金種別硬貨収納投出部１３４などを備えているとともに、下部の前側ユニット７１に配設される回収硬貨収納部としての硬貨カセット１３５などを備えている。
【００７８】
硬貨搬送部１３２は、硬貨入金口１４の下方に配設されて硬貨入金口１４に投入される硬貨を受け入れて１枚ずつ繰り込む硬貨繰込手段１３６を有し、この硬貨繰込手段１３６の底部には硬貨を１列状態で繰り出す繰出ベルト１３７が機体１２の左右方向でかつ左斜め上方に向けて張設され、この繰出ベルト１３７の繰出方向の上方に繰り出される硬貨を１層に規制する逆転ローラ１３８が配設されている。したがって、繰出ベルト１３７の繰出方向への回動と逆転ローラ１３８の逆転とにより、硬貨繰込手段１３６から硬貨が１層１列状態で順次繰り込まれる。
【００７９】
繰出ベルト１３７の繰出方向の末端には機体１２内の左側に沿って機体１２の後方へ向かう硬貨識別搬送通路１３９が形成され、この硬貨識別搬送通路１３９の始端位置に硬貨識別部１３３が配設されている。硬貨識別搬送通路１３９の後端からは機体１２の左右方向に沿って硬貨選別搬送路１４０が形成され、この硬貨選別搬送路１４０には硬貨を金種別に選別する複数の選別部１４１が配設されている。各選別部１４１は、硬貨選別搬送路１４０の底板１４２に形成された選別孔１４３を選別板１４４で開閉する構造が採られており、対応金種の硬貨が到達する際に選別板１４４が開放されて硬貨が選別孔１４３から落下され、対応金種以外の硬貨が到達する際には選別板１４４が閉鎖されて硬貨が選別孔１４３上を通過するように構成されている。そして、硬貨選別搬送路１４０の上流側から下流側に５円、１円、５０円、１００円、１０円および５００円の金種別の選別部１４１が順に配設されているとともに、最上流部にオーバーフロー硬貨用の選別部１４１が配設されている。
【００８０】
硬貨識別搬送通路１３９の途中にはリジェクト硬貨を分岐するリジェクトゲート１４５が配設され、このリジェクトゲート１４５の下方に左右方向に沿って左右いずれの方向にも硬貨を搬送可能とする中継搬送部１４６が形成されている。なお、この中継搬送部１４６上がリジェクト硬貨を一時保留するリジェクト硬貨一時保留部として構成されている。
【００８１】
中継搬送部１４６の左端には、中継搬送部１４６の左端部からの硬貨の流出を規制する左側の出金保留切換部１４７が開閉可能に配設されている。中継搬送部１４６の左端下方には出金保留切換部１４７の開放状態で中継搬送部１４６から送り込まれる硬貨を受け入れるとともに左側の硬貨出金口２５を通じて硬貨出金ボックス２７に送り込む左側の出金搬送部１４８が配設されている。
【００８２】
中継搬送部１４６の右端には、中継搬送部１４６の右端部からの硬貨の流出を規制する右側の出金保留切換部１４９が開閉可能に配設されている。中継搬送部１４６の右端下方には出金保留切換部１４９の開放状態で中継搬送部１４６から送り込まれる硬貨を受け入れて前方へ搬送する右側の出金搬送部１５０が配設されている。この出金搬送部１５０上には硬貨を硬貨繰込手段１３６に再投入するように切換可能とする再投入切換部１５１が配設され、出金搬送部１５０の前端には硬貨を受け入れて右側の硬貨出金口２５を通じて右側の硬貨出金ボックス２７に送り込むシュート１５２が配設されている。このシュート１５２の途中には、硬貨を硬貨カセット１３５に導くカセットシュート１５３が接続されているとともに、シュート１５２内を案内される硬貨をカセットシュート１５３内に導くように切換可能とするカセットシュート切換部１５４が配設されている。
【００８３】
また、硬貨識別部１３３は、硬貨識別搬送通路１３９の始端位置に配設され、搬送される硬貨の金種や真偽を識別するように構成されている。
【００８４】
また、金種別硬貨収納投出部１３４は、機体１２の前後方向に沿って長く、機体１２の左右方向に並んで配設されており、金種別の各選別部１４１の下方位置に対応して左側から右側の順に５円、１円、５０円、１００円、１０円および５００円の金種別の金種別硬貨収納投出部１３４が配設されているとともに、最も左側のオーバーフロー硬貨用の選別部１４１の下方位置に対応してオーバーフロー硬貨用の金種別硬貨収納投出部１３４が配設されている。
【００８５】
各金種別硬貨収納投出部１３４は、左右両側に側板１５６を有し、これら側板１５６間の底部に平ベルトにて構成されるベルト１５７が装置奥行き方向に沿って前側が上昇するとともに後側が下降する傾斜状態に張設されている。ベルト１５７は側板１５６間に前後に配置されるプーリ１５８，１５９に掛け回され、前側のプーリ１５８は各金種別硬貨収納投出部１３４に共通の１本の連結軸１６０で一体的に回動可能とされ、後側のプーリ１５９は各金種別硬貨収納投出部１３４に共通の１本の駆動軸１６１で一体的に回動可能とされ、この駆動軸１６１が図示しないモータで正逆回転駆動される。したがって、各金種別硬貨収納投出部１３４のベルト１５７が一体的に正逆回転駆動される。なお、ベルト１５７の上面が前方へ向かう方向を繰出方向と呼び、後方へ向かう方向を収納方向と呼ぶ。
【００８６】
ベルト１５７上には、選別部１４１の下方域に硬貨をばら状態で金種別に一時保留する入金硬貨一時保留部１６２が形成され、この入金硬貨一時保留部１６２の後方域に硬貨をばら状態で収納する硬貨収納部１６３が形成され、入金硬貨一時保留部１６２と硬貨収納部１６３との間には仕切部１６４が開閉可能に配設され、硬貨収納部１６３の後面には後面板１６５が配設されている。なお、最も左側のオーバーフロー硬貨用の金種別硬貨収納投出部１３４は、仕切部１６４を備えず、入金硬貨一時保留部１６２と硬貨収納部１６３とは仕切られていない。
【００８７】
ベルト１５７上の入金硬貨一時保留部１６２の前側には各金種別硬貨収納投出部１３４に共通の逆転ローラ１６６が配設され、この逆転ローラ１６６がベルト１５７の繰出方向への回動とは逆方向に回転されて、硬貨が１層に規制される。したがって、ベルト１５７と逆転ローラ１６６と図示しない両側のガイド板とで、硬貨が１層１列状態に規制されて順次繰り出されるように構成されている。逆転ローラ１６６の前側には、ベルト１５７上で硬貨の繰り出しを停止させる図示しないストッパ機構が配設されているとともに、繰り出される硬貨を計数する図示しない計数手段が配設されている。
【００８８】
ベルト１５７の前端には、中継搬送部１４６との間に案内板１６７が配設されているとともに、この案内板１６７の上方に硬貨を中継搬送部１４６に送り出す送出ローラ１６８が配設されている。
【００８９】
また、硬貨カセット１３５は、上面に硬貨処理装置１３１のカセットシュート１５３から導かれる回収硬貨を受け入れる硬貨受入口１７０が形成され、前面に把手部１７１が形成されている。そして、硬貨カセット１３５は、前側ユニット７１上で、紙幣カセット４６ａ，４６ｂの側部位置に着脱可能に搭載されている。
【００９０】
次に、循環式貨幣入出金機１１の作用を説明する。
【００９１】
まず、紙幣処理装置４１の動作を説明する。図１９（ａ）（ｂ）において、紙幣処理装置４１への紙幣の初期補充処理を示す。
【００９２】
機体１２内から取り出されている紙幣カセット４６の例えば一方の区分収納部４６ａに各金種の補充紙幣を一緒に装填し、その紙幣カセット４６（内部に区分収納部４６ａ，４６ｂを備える）を機体１２内に装填する。
【００９３】
機体１２の上面に設けられている図示しない操作部で紙幣の補充処理を指令することにより、図１９（ａ）に示すように、紙幣カセット４６の一方の区分収納部４６ａからの補充動作が開始される（紙幣の主な搬送経路を太線で示す）。一方の区分収納部４６ａから１枚ずつ繰り出される補充紙幣は、導出搬送路５１を通じて循環搬送路４９に送り込まれ、この循環搬送路４９の上側搬送路５７を順送り方向に搬送されて紙幣識別部４３で識別される。
【００９４】
紙幣識別部４３で正常と識別された補充正規紙幣は、循環搬送路４９の下側搬送路５８から金種別の導入搬送路５０を通じて金種別入金紙幣一時保留部４４ａ〜４４ｃに送り込まれて一時保留される。金種別入金紙幣一時保留部４４ａ〜４４ｃに所定枚数（例えば１００枚）の紙幣が一時保留された場合には、一時保留紙幣が下方の金種別のスタッカ４５ａ〜４５ｃに収納される。また、最後は所定枚数にならなくても収納される。
【００９５】
紙幣識別部４３で例えば循環搬送路４９を搬送される補充紙幣が重なっていたりして所定の識別動作ができず再識別することによって正常と識別される可能性のある再識別可能なリジェクト紙幣と識別された場合には、そのリジェクト紙幣が循環搬送路４９の下側搬送路５８の末端まで搬送されるとともに他方の区分収納部４６ｂの上部の紙幣一時保留部６４に送り込まれて一時保留される。
【００９６】
紙幣識別部４３で正常でなく再識別不可なリジェクト紙幣と識別された場合には、一方の区分収納部４６ａから補充紙幣の繰り出しが一時停止され、そのリジェクト紙幣が循環搬送路４９の下側搬送路５８の末端を通じて紙幣出金口１８に送り込まれ、補充動作終了後に、シャッタ１９が開放されてリジェクト紙幣が取出可能に払い出されるとともに、紙幣出金ランプ２０が点滅される。あるいは、再識別不可なリジェクト紙幣は、リジェクトボックス２２に送り込まれて回収収納される。
【００９７】
一方の区分収納部４６ａからの補充紙幣の繰り出しが完了するとともに、紙幣搬送部４２内を搬送される補充紙幣の搬送が完了し、紙幣識別部４３にて紙幣を所定時間検知しなくなった後、他方の区分収納部４６ｂの紙幣一時保留部６４にリジェクト紙幣が一時保留されている場合には、図１９（ｂ）に示すように、紙幣一時保留部６４のリジェクト紙幣は、紙幣一時保留部６４から１枚ずつ繰り出されるとともに導出搬送路５１を通じて循環搬送路４９の下側搬送路５８に送り込まれ、この循環搬送路４９の下側搬送路５８から上側搬送路５７に順送り方向に搬送されて紙幣識別部４３で再識別される。再識別の結果、正常と識別された補充紙幣は金種別入金紙幣一時保留部４４ａ〜４４ｃに一時保留され、異常と識別されたリジェクト紙幣は紙幣出金口１８に取出可能に払い出されるかリジェクトボックス２２に送り込まれて回収収納される。
【００９８】
そして、再識別を含む補充紙幣の一時保留および収納が完了するとともに、再識別不可なリジェクト紙幣の払出または回収収納が完了することで、金種別入金紙幣一時保留部４４ａ〜４４ｃの一時保留紙幣が下方の金種別のスタッカ４５ａ〜４５ｃに収納され、紙幣の初期補充の完了となる。
【００９９】
なお、初期補充では、他方の区分収納部４６ｂにも補充紙幣を装填して補充することも可能であるとともに、一方の区分収納部４６ａや他方の区分収納部４６ｂからの補充後に紙幣入金口１６から補充紙幣を投入して補充することも可能である。補充に関するこうした例は他の例として後述する。
【０１００】
また、図１９（ｃ）（ｄ）において、紙幣処理装置４１の紙幣の入金処理を説明する。左右いずれかのテラーにより機体１２の左右の対応する側のキー入力部２９の紙幣処理装置占有キー３０ａを操作すると、操作されたテラー側の占有モードとなり、紙幣入金口１６のシャッタ１７が開放される。テラーにより、入金紙幣を紙幣入金口１６に投入し、紙幣処理装置占有キー３０ａを再度操作すると、紙幣入金口１６のシャッタ１７が閉鎖され、入金処理が開始される。
【０１０１】
このとき、紙幣処理装置占有キー３０ａの操作により紙幣入金占有だけでなく、同時に硬貨占有を行なって、紙幣および硬貨共に入金処理するようにしてもよい。
【０１０２】
図１９（ｃ）に示すように、紙幣入金口１６に投入された紙幣は、紙幣繰込手段４７から１枚ずつ繰り込まれ、入金搬送路４８を通じて循環搬送路４９の上側搬送路５７に送り込まれ、この循環搬送路４９の上側搬送路５７を順送り方向に搬送されて紙幣識別部４３で識別される。
【０１０３】
紙幣識別部４３で正常と識別された入金正規紙幣は、循環搬送路４９の下側搬送路５８から金種別の導入搬送路５０を通じて金種別入金紙幣一時保留部４４ａ〜４４ｃに送り込まれて一時保留される。また、金種別入金紙幣一時保留部４４ａ〜４４ｃまたはスタッカ４４ａ〜４４ｃが満杯の場合の以降の入金正規硬貨は区分収納部４６ｂの上部の紙幣一時保留部６４に一時保留される。
【０１０４】
紙幣識別部４３で例えば循環搬送路４９を搬送される紙幣が重なっていたりして所定の識別動作ができず再識別することによって正常と識別される可能性のある再識別可能なリジェクト紙幣、および紙幣識別部４３で正常でなく再識別不可なリジェクト紙幣と識別された紙幣はいずれも、循環搬送路４９の下側搬送路５８の末端を通じて紙幣出金口１８に送り込まれ、シャッタ１９が開放されてリジェクト紙幣が取出可能に返却されるとともに、占有指示したテラー側の紙幣出金ランプ２０が点滅される。テラーにより返却されたリジェクト紙幣が取り出されたら、シャッタ１９が閉じる。
【０１０５】
紙幣入金口１６からの入金紙幣の繰り出しが完了するとともに、紙幣搬送部４２からの入金紙幣の搬送が完了し、紙幣識別部４３にて紙幣を所定時間検知しなくなった後、例えば循環式貨幣入出金機１１と接続されてテラーにより操作される端末機で入金紙幣の計数結果を表示し、テラーによる入金収納指令、または入金返却指令に待機する。
【０１０６】
テラーにより端末機が操作され、入金収納が指令されると、金種別入金紙幣一時保留部４４ａ〜４４ｃおよび紙幣一時保留部６４に一時保留されていた紙幣が下方の金種別のスタッカ４５ａ〜４５ｃおよび区分収納部４６ｂに収納され、入金処理が完了となる。
【０１０７】
テラーにより紙幣用キャンセルキー３１ａが操作され、入金返却が指令されると、図１９（ｄ）に示すように、まず、金種別入金紙幣一時保留部４４ａ〜４４ｃに一時保留されていた紙幣が、１金種ずつ順番に金種別入金紙幣一時保留部４４ａ〜４４ｃから１枚ずつ繰り出されるとともに導出搬送路５１を通じて循環搬送路４９に送り込まれ、この循環搬送路４９を逆送り方向に搬送されて紙幣識別部４３にて識別され、循環搬送路４９の上側搬送路５７から逆送り搬送路６０を通じて、または返却紙幣の表裏が一定の向きとなるように表裏反転部５５を通じて返却紙幣の表裏が逆転されて逆送り搬送路６０を経由して下側搬送路５８に送られ、この下側搬送路５８を順送り方向に搬送されて紙幣出金口１８に送り込まれ、それらの全ての返却紙幣が紙幣出金口１８に送り込まれたら、今度は紙幣一時保留部６４の紙幣を繰り出し、循環搬送路４９を順送り方向に搬送し、紙幣一時保留部６４の紙幣を全て紙幣出金口１８へ送り出す。こうして全ての一時保留紙幣が紙幣出金口１８へ送り込まれると、シャッタ１９が開放されて返却紙幣が取出可能に返却されるとともに占有指示したテラー側の紙幣出金ランプ２０が点滅する。返却紙幣が取り出されると、シャッタ１９が閉じられ、入金処理が完了となる。
【０１０８】
また、図１９（ｅ）において、紙幣処理装置４１の紙幣の出金処理を説明する。左右いずれかのテラーが循環式貨幣入出金機１１と接続される端末機を操作し、出金処理を指令するとともに、出金金額や出金希望金種および枚数を入力すると、出金が指令されたテラー側の占有モードとなり、出金処理が開始される。
【０１０９】
このとき、紙幣の枚数とともに硬貨の枚数も入力されて出金指令されると、紙幣・硬貨の出金となる。
【０１１０】
出金処理が開始されると、出金該当金種の出金紙幣は、該当するスタッカ４５ａ〜４５ｃから金種別に１枚ずつ順に繰り出されるとともに導出搬送路５１を通じて循環搬送路４９に送り込まれ、この循環搬送路４９を逆送り方向に搬送されて紙幣識別部４３にて識別される。
【０１１１】
紙幣識別部４３で正常と識別された出金正規紙幣は、循環搬送路４９の上側搬送路５７から逆送り搬送路６０を通じて、または返却紙幣の表裏が一定の向きとなるように表裏反転部５５を通じて返却紙幣の表裏が逆転されて下側搬送路５８の前部側に送られ、この下側搬送路５８を順送り方向に搬送されて紙幣出金口１８に送り込まれる。
【０１１２】
紙幣識別部４３で例えば循環搬送路４９を搬送される出金紙幣が重なっていたりして所定の識別動作ができず再識別することによって正常と識別される可能性のある再識別可能なリジェクト紙幣、および紙幣識別部４３で正常でなく再識別不可なリジェクト紙幣と識別された紙幣のいずれも、そのリジェクト紙幣が、循環搬送路４９の上側搬送路５７から逆送り搬送路６０を通じて下側搬送路５８の前部側に送られ、この下側搬送路５８の前部側を順送り方向に搬送されるとともにリジェクトボックス２２に送り込まれて収納される。
【０１１３】
リジェクト紙幣の発生により不足する金種の紙幣は、該当するスタッカ４５ａ〜４５ｃから再繰り出しされる。
【０１１４】
出金分の出金紙幣が紙幣出金口１８に送り込まれたら、該当するテラー側の紙幣処理装置占有キー３０ａのランプが点滅され、テラーにより紙幣処理装置占有キー３０ａが押し下げられることでシャッタ１９が開放されて出金紙幣が取出可能に払い出されるとともに、該当するテラー側の紙幣出金ランプ２０が点滅され、出金紙幣の取り出し後にシャッタ１９が閉じられ、出金処理が完了となる。
【０１１５】
出金処理中において、リジェクトボックス２２に所定枚数のリジェクト紙幣が送り込まれて満杯となると、出金処理が一時停止され、テラーによるリジェクトフル解除処理がなされる。すなわち、テラーにより、鍵を使ってリジェクトボックスキー２３を解錠して蓋体２４を開放し、リジェクトボックス２２をリジェクトボックス取出口２１から引き出すとともに、リジェクトボックス２２内からリジェクト紙幣を取り出し、さらに、空となったリジェクトボックス２２をリジェクトボックス取出口２１に装填して、蓋体２４を閉じ、リジェクトボックスキー２３を施錠し、出金処理の再開を指令する。
【０１１６】
また、図２０（ａ）〜（ｄ）において、紙幣処理装置４１の紙幣の精査回収処理（締上収集処理）を説明する。
【０１１７】
テラーが機体１２の図示しない操作部で精査回収処理を指令することにより、図２０（ａ）に示すように、一方の区分収納部４６ａに紙幣が収納されている場合には、一方の区分収納部４６ａから紙幣が空になるまで１枚ずつ繰り出され、導出搬送路５１を通じて循環搬送路４９に送り込まれ、この循環搬送路４９の上側搬送路５７を順送り方向に搬送されて紙幣識別部４３で識別され、正常と識別されれば金種別のスタッカ４５ａ〜４５ｃに収納され、正規紙幣のオーバーフロー紙幣およびリジェクト紙幣は他方の区分収納部４６ｂに収納される。
【０１１８】
続いて、図２０（ｂ）に示すように、他方の区分収納部４６ｂから紙幣が空になるまで１枚ずつ繰り出され、導出搬送路５１を通じて循環搬送路４９に送り込まれ、この循環搬送路４９の上側搬送路５７を順送り方向に搬送されて紙幣識別部４３で識別され、正常と識別されれば循環搬送路４９の下側搬送路５８から導入搬送路５０を通じて区分収納部４６ａに収納され、リジェクト紙幣と識別されれば循環搬送路４９の下側搬送路５８の末端を通じてリジェクトボックス２２に収納される。
【０１１９】
続いて、図２０（ｃ）に示すように、１つの金種のスタッカ４５ａに収納されている紙幣が、そのスタッカ４５ａから１枚ずつ順に繰り出されるとともに導出搬送路５１を通じて循環搬送路４９に送り込まれ、この循環搬送路４９を逆送り方向に搬送されて紙幣識別部４３にて識別され、循環搬送路４９の上側搬送路５７から逆送り搬送路６０を通じて、または返却紙幣の表裏が一定の向きとなるように表裏反転部５５を通じて返却紙幣の表裏が逆転されて下側搬送路５８の前部側に送られ、この下側搬送路５８を順送り方向に搬送されて一方の区分収納部４６ａに送り込まれて収納される。
【０１２０】
一方の区分収納部４６ａへの紙幣の送り込み途中で、一方の区分収納部４６ａに所定枚数の紙幣が収納されて満杯になれば、図２０（ｄ）に示すように、紙幣の送り込み収納が他方の区分収納部４６ｂ（空状態）に切り換えられ、他方の区分収納部４６ｂへの紙幣の送り込み収納が継続してなされる。
【０１２１】
１つの金種のスタッカ４５ａから全ての紙幣が繰り出されたら、次の金種のスタッカ４５ｂから紙幣が繰り出され、続いて、残りの金種のスタッカ４５ｃから紙幣が繰り出され、全ての金種別のスタッカ４５ａ〜４５ｃに収納されている紙幣が紙幣カセット４６の区分収納部４６ａ，４６ｂに収納され、各区分収納部４６ａ，４６ｂの上面シャッタ（図示せず）が閉じられる。
【０１２２】
そして、テラーにより、紙幣カセット４６を機体１２内から前方へ取り出すことにより、紙幣の精査回収処理が完了となる。
【０１２３】
以上が紙幣カセット４６の区分収納部４６ａ，４６ｂの標準的な使い方であるが、次のような使い方もある。
【０１２４】
例えば、他の使い方例１として、区分収納部４６ａ，４６ｂの両方を紙幣の補充に使う場合がある。この両方の区分収納部４６ａ，４６ｂを紙幣の補充に使う場合には、再識別可能なリジェクト紙幣と再識別不能なリジェクト紙幣を区分することなく、両方を再識別不能なリジェクト紙幣として扱い、このリジェクト紙幣を前述した区分収納部４６ａ，４６ｂだけからの補充時の再識別不能なリジェクト紙幣の処理と同じやり方で、紙幣出金口１８へ送り込むようにする。
【０１２５】
この補充の場合、区分収納部４６ａ，４６ｂのどちらか一方から紙幣補充を行い、それが済むと他方から紙幣補充を行うというようにする。そのうち区分収納部４６ｂによる紙幣補充の場合は、紙幣一時保留部６４の一時保留板が収納空間から退避した状態で、補充紙幣を載せて上昇するリフト６３により補充紙幣を上部の紙幣繰込み繰出手段に押圧し、紙幣繰込み繰出手段の作動で補充紙幣が１枚ずつ繰り出す。こうして区分収納部４６ａ，４６ｂの紙幣が全て繰り出され、正規紙幣はスタッカ４５ａ〜４５ｃへ、また、リジェクト紙幣は紙幣出金口１８へ送られ、初期補充が終了する。
【０１２６】
また、他の使い方例２としては、区分収納部４６ａを補充に使い、スタッカ４５ａ〜４５ｃのうち例えばスタッカ４５ａと同金種の千円スタッカとして使う場合がある。この場合、補充すべき区分収納部としては区分収納部４６ａだけであるが、再識別可能なリジェクト紙幣も再識別不能なリジェクト紙幣として扱い、前述したやり方で紙幣出金口１８へ送り込むようにする。
【０１２７】
千円紙幣の補充は、スタッカ４５ａと区分収納部４６ｂとのうち、まずスタッカ４４ａへ先に補充し、スタッカ４４ａへの補充が済んでから区分収納部４６ｂへ補充するようにする。また、入金、出金についてもスタッカ４５ａを優先させる。
【０１２８】
区分収納部４６ｂを入金、出金に使う場合について述べる。この例の場合、入金繰込み時において、入金正規紙幣のうちオーバーフロー紙幣は紙幣出金口１８へ送り込むように設定されている。区分収納部４６ｂへの入金繰込み時はスタッカ４５ｂ，４５ｃへの一時保留と同様、循環搬送路４９の順送り方向の搬送にて紙幣一時保留部６４に一時保留する。収納時に紙幣一時保留部６４の区分収納部４６ｂへ収納するが、その動作もスタッカ４５ｂ，４５ｃへの収納と同様である。
【０１２９】
入金返却の場合は、まず金種別入金紙幣一時保留部４４ｂ，４４ｃの一時保留紙幣を逆送り方向に搬送する循環搬送路４９を経て紙幣出金口１８へ送る。金種別入金紙幣一時保留部４４ｂ，４４ｃの紙幣を全て紙幣出金口１８へ送ると、循環搬送路４９を順送り方向に回転させ、紙幣一時保留部６４の紙幣（一時保留板の上の紙幣）を全て循環搬送路４９を経て紙幣出金口１８へ送り、返却すべき全ての紙幣が紙幣出金口１８に送られた段階で紙幣の取り出しを可能とする。
【０１３０】
出金時についても、入金返却時と同じやり方でスタッカ４５ｂ，４５ｃ、区分収納部４６ｂの紙幣を出金する。
【０１３１】
精査回収においては、まず区分収納部４６ｂの導出搬送路５１を通じて循環搬送路４９へ送り、この循環搬送路４９の順送り搬送によって紙幣識別部４３で識別し、正規（正常）と識別された紙幣は、下側搬送路５８から対応する金種のスタッカ４５ａ〜４５ｃ、区分収納部４６ｂに収納し、リジェクト紙幣はリジェクトボックス２２に収納する。このようにして区分収納部４６ｂの紙幣がなくなると、まず、スタッカ４５ａ〜４５ｃの紙幣を循環搬送路４９の逆送り搬送を通じて紙幣識別部４３へ送り正規（正常）の紙幣は区分収納部４６ａへ送り、リジェクト紙幣はリジェクトボックス２２へ収納する。スタッカ４５ａ〜４５ｃの紙幣が全て区分収納部４６ａまたはリジェクトボックス２２へ収納されると、循環搬送路４９を順送り搬送に切り換え、区分収納部４６ｂの紙幣を循環搬送路４９の順送り搬送を通じて紙幣識別部４３へ送り、正規（正常）の紙幣は区分収納部４６ａへ送り、リジェクト紙幣はリジェクトボックス２２へ収納する。こうして全ての紙幣が区分収納部４６ａまたはリジェクトボックス２２へ収納された段階で、精査回収は終わる。
【０１３２】
なお、念のため述べると、区分収納部４６ｂの紙幣を区分収納部４６ａまたはリジェクトボックス２２へ搬送するときに、紙幣識別部４３へ向かう紙幣と紙幣識別部４３を通過した紙幣とが重なる域がある。こうした紙幣の重なりを防ぐために、循環搬送路４９上に配置された多数の紙幣追跡センサ（図示せず）を作動させ、紙幣識別部４３を通過した紙幣の到来検知により区分収納部４６ｂの紙幣繰込み繰出手段の繰出し駆動を一時中断させるようにする。
【０１３３】
また、他の使い方例３として、区分収納部４６ａを補充、区分収納部４６ｂを二千円スタッカとして使用する場合がある。なお、この例においても、入金繰込み時のオーバーフロー紙幣（金種別入金紙幣一時保留部４４ａ〜４４ｃ、紙幣一時保留部６４またはスタッカ４５ａ〜４５ｃ、区分収納部４６ｂが満杯の場合のそれ以後の紙幣）は紙幣出金口１８へ送り込むように設定する。この場合、補充すべき区分収納部としては区分収納部４６ａだけであるが、再識別可能なリジェクト紙幣も再識別不可能なリジェクト紙幣として扱い、前述したやり方で、紙幣出金口１８へ送り込むようにする。
【０１３４】
二千円紙幣は、循環搬送路４９の紙幣識別部４３を通じ導入搬送路５０を経て区分収納部４６ｂの紙幣一時保留部６４へ一時保留し、所定枚数になると区分収納部４６ｂへ収納する。
【０１３５】
入金繰込み時において、二千円紙幣は紙幣一時保留部６４へ一時保留し、千円、五千円、一万円紙幣が金種別入金紙幣一時保留部４４ａ〜４４ｃに一時保留されるのと同様である。
【０１３６】
二千円紙幣の入金収納動作は、紙幣一時保留部６４から区分収納部４６ａへ収納し、他金種紙幣のスタッカ４５ａ〜４５ｃへの収納と同じである。
【０１３７】
二千円紙幣の入金返却動作は、千円、五千円、一万円紙幣の入金返却が済んだ後、それらの紙幣の搬送とは逆送りの搬送により紙幣出金口１８へ送る。
【０１３８】
二千円紙幣の出金時も入金返却時と同じやり方（千円、五千円、一万円紙幣とは逆送り方向の搬送）で、千円、五千円、一万円紙幣の搬送が終わってから出金する。
【０１３９】
精査回収においては、まず区分収納部４６ａの紙幣を導出搬送路５１を通じて循環搬送路４９へ送り、この循環搬送路４９の順送り搬送によって紙幣識別部４３で識別し、正規（正常）と識別された紙幣は、下側搬送路５８から対応する金種のスタッカ４５ａ〜４５ｃ、区分収納部４６ｂに収納し、リジェクト紙幣はリジェクトボックス２２に収納する。このようにして区分収納部４６ｂの紙幣がなくなると、まず、スタッカ４５ａ〜４５ｃの紙幣を循環搬送路４９の逆送り搬送を通じて紙幣識別部４３へ送り、正規（正常）の紙幣は区分収納部４６ａへ送り、リジェクト紙幣はリジェクトボックス２２へ収納する。スタッカ４５ａ〜４５ｃの紙幣を全て区分収納部４６ａまたはリジェクトボックス２２へ収納すると、循環搬送路４９を順送り搬送に切り換え、区分収納部４６ｂの紙幣を循環搬送路４９の順送り搬送を通じて紙幣識別部４３へ送り、正規（正常）の紙幣は区分収納部４６ａへ送り、リジェクト紙幣はリジェクトボックス２２へ収納する。こうして全ての紙幣が区分収納部４６ａまたはリジェクトボックス２２へ収納された段階で、精査回収は終わる。
【０１４０】
なお、区分収納部４６ｂの紙幣を区分収納部４６ａまたはリジェクトボックス２２へ搬送するときに、紙幣識別部４３へ向かう紙幣と紙幣識別部４３を通過した紙幣とが重なる域がある。こうした紙幣の重なりを防ぐ方法は、他の使い方例２で述べた方法であり、以後はその点の説明を省略する。
【０１４１】
また、他の使い方例４として、区分収納部４６ａ，４６ｂを補充、区分収納部４６ｂを二千円スタッカとして使用する場合があるが、これは他の使い方例１と他の使い方例３との組み合わせであり、他の使い方例１と他の使い方例３との組み合わせ動作で補充、入金、出金、精査回収が行われる。
【０１４２】
なお、この場合は、区分収納部４６ａ，４６ｂのうち区分収納部４６ｂの紙幣から補充し、千円、五千円、一万円紙幣は入金紙幣一時保留部４４ａ〜４４ｃへ、また二千円紙幣は区分収納部４６ａへ収納する。こうして、区分収納部４６ａが空になると、区分収納部４６ａの紙幣を繰り出し、二千円紙幣は紙幣一時保留部６４を経由して区分収納部４６ｂへ収納するようにする。
【０１４３】
次に、図３および図４を参照して、硬貨処理装置１３１の動作を説明する。
【０１４４】
硬貨処理装置１３１への硬貨の初期補充処理は、各金種の補充硬貨を一括して硬貨入金口１４に投入し、硬貨の補充処理を指令する。硬貨入金口１４に投入された補充硬貨は、硬貨繰込手段１３６から１枚ずつ硬貨識別搬送通路１３９に繰り出され、硬貨識別部１３３で識別される。
【０１４５】
硬貨識別部１３３で正常と識別された補充正規硬貨は、硬貨識別搬送通路１３９から硬貨選別搬送路１４０に搬送され、該当する金種の選別部１４１で選別され、金種別硬貨収納投出部１３４に送り込まれて収納される。また、硬貨識別部１３３で異常と識別されたリジェクト硬貨は、硬貨識別搬送通路１３９のリジェクトゲート１４５で分岐され、中継搬送部１４６に送り込まれて一時保留される。
【０１４６】
硬貨繰込手段１３６からの補充硬貨の繰り出しが完了するとともに、硬貨識別搬送通路１３９および硬貨選別搬送路１４０内での補充硬貨の搬送が完了し、硬貨識別部１３３にて補充硬貨を所定時間検知しなくなった後、中継搬送部１４６にリジェクト硬貨が一時保留されている場合には、リジェクト硬貨の再識別処理が開始される。すなわち、中継搬送部１４６上のリジェクト硬貨は、中継搬送部１４６から右側の出金搬送部１５０、再投入切換部１５１を通じて硬貨繰込手段１３６に再投入され、硬貨繰込手段１３６から１枚ずつ硬貨識別搬送通路１３９に再び繰り出され、硬貨識別部１３３で再識別される。
【０１４７】
再識別の結果、正常と識別された補充硬貨は該当する金種の金種別硬貨収納投出部１３４の各一時保留部に収納される。また、再識別の結果、異常と識別されたリジェクト硬貨は、リジェクトゲート１４５で分岐されて中継搬送部１４６に一時保留され、硬貨繰込手段１３６からのリジェクト硬貨の繰り出しが完了した後に、中継搬送部１４６から左側の出金搬送部１４８を通じて左側の硬貨出金ボックス２７に払い出される。そして、テラーにより、硬貨出金ボックス２７が引き出されて硬貨出金ボックス２７内のリジェクト硬貨が取り出される。
【０１４８】
再識別を含む補充硬貨の収納が完了するとともに、リジェクト硬貨の取り出しが完了することで、硬貨の初期補充の完了となる。
【０１４９】
また、硬貨の入金処理について説明する。左右いずれかのテラーにより機体１２の左右の対応する側のキー入力部２９の硬貨処理装置占有キー３０ｂを操作すると、操作されたテラー側の占有モードとなり、硬貨入金口１４のシャッタ１５が開放される。テラーにより、入金硬貨を硬貨入金口１４に投入し、テラーにより硬貨処理装置占有キー３０ｂを再度操作すると、硬貨入金口１４のシャッタ１５が閉鎖され、入金処理が開始される。
【０１５０】
硬貨入金口１４に投入された入金硬貨は、硬貨繰込手段１３６から１枚ずつ硬貨識別搬送通路１３９に繰り出され、硬貨識別部１３３で識別される。
【０１５１】
硬貨識別部１３３で正常と識別された補充硬貨は、硬貨識別搬送通路１３９から硬貨選別搬送路１４０に搬送され、該当する金種の選別部１４１で選別され、金種別硬貨収納投出部１３４に送り込まれる。このとき、仕切部１６４が仕切位置に移動されていて入金硬貨一時保留部１６２と硬貨収納部１６３とが仕切られており、入金硬貨は入金硬貨一時保留部１６２に一時保留される。また、正常と識別された入金硬貨でも、入金硬貨一時保留部１６２に所定枚数の硬貨が収納されて満杯となった金種や、硬貨収納部１６３に所定枚数の硬貨が収納されて満杯となっている金種については、オーバーフロー硬貨とされ、硬貨選別搬送路１４０の最上流に位置するオーバーフロー硬貨用の選別部１４１で選別され、オーバーフロー硬貨用の金種別硬貨収納投出部１３４に送り込まれて一時保留される。また、硬貨識別部１３３で異常と識別されたリジェクト硬貨は、硬貨識別搬送通路１３９のリジェクトゲート１４５で分岐され、中継搬送部１４６に送り込まれて一時保留される。
【０１５２】
硬貨繰込手段１３６からの入金硬貨の繰り出しが完了するとともに、硬貨識別搬送通路１３９および硬貨選別搬送路１４０内での入金硬貨の搬送が完了し、硬貨識別部１３３にて入金硬貨を所定時間検知しなくなった後、中継搬送部１４６にリジェクト硬貨が一時保留されている場合には、リジェクト硬貨の再識別処理が開始される。すなわち、中継搬送部１４６上のリジェクト硬貨は、中継搬送部１４６から右側の出金搬送部１５０、再投入切換部１５１を通じて硬貨繰込手段１３６に再投入され、硬貨繰込手段１３６から１枚ずつ硬貨識別搬送通路１３９に再び繰り出され、硬貨識別部１３３で再識別される。
【０１５３】
再識別の結果、正常と識別された補充硬貨は該当する金種の金種別硬貨収納投出部１３４またはオーバーフロー硬貨用の金種別硬貨収納投出部１３４に収納される。また、再識別の結果、異常と識別されたリジェクト硬貨は、リジェクトゲート１４５で分岐されて中継搬送部１４６に一時保留され、硬貨繰込手段１３６からのリジェクト硬貨の繰り出しが完了した後に、例えば左側のテラーが占有している場合には中継搬送部１４６から左側の出金搬送部１４８を通じて左側の硬貨出金ボックス２７に払い出される。そして、テラーにより、硬貨出金ボックス２７が引き出されて硬貨出金ボックス２７内のリジェクト硬貨が取り出される。
【０１５４】
再識別を含む入金硬貨の一時保留が完了するとともに、再識別後のリジェクト硬貨の返却が完了した後、例えば循環式貨幣入出金機１１と接続されてテラーにより操作される端末機で入金硬貨の計数結果を表示し、テラーによる入金収納指令、または入金返却指令に待機する。
【０１５５】
テラーにより端末機で入金収納が指令されると、金種別硬貨収納投出部１３４の入金硬貨一時保留部１６２に一時保留されていた硬貨は、仕切部１６４の開放とベルト１５７の収納方向への回動とにより後方の硬貨収納部１６３に収納される。オーバーフロー硬貨用の金種別硬貨収納投出部１３４に収納されていたオーバーフロー硬貨は、金種別硬貨収納投出部１３４内から中継搬送部１４６に１枚ずつ繰り出され、この中継搬送部１４６にて右端へ向けて搬送されて右側の出金搬送部１５０に送り込まれ、この出金搬送部１５０にて前方へ搬送されてシュート１５２に放出され、シュート１５２内のカセットシュート切換部１５４を介してカセットシュート１５３に導かれ、硬貨カセット１３５内に回収収納される。これら硬貨の収納により、入金処理が完了となる。
【０１５６】
テラーにより端末機で入金返却が指令されると、金種別硬貨収納投出部１３４の入金硬貨一時保留部１６２に一時保留されていた硬貨、およびオーバーフロー硬貨用の金種別硬貨収納投出部１３４に収納されていた硬貨は、各金種別硬貨収納投出部１３４内から中継搬送部１４６に１枚ずつ繰り出され、例えば左側のテラーで占有されている場合には中継搬送部１４６から左側の出金搬送部１４８を通じて左側の硬貨出金ボックス２７に払い出される。そして、テラーにより、硬貨出金ボックス２７が引き出されて硬貨出金ボックス２７内の返却硬貨が取り出される。
【０１５７】
また、硬貨の出金処理について説明する。左右いずれかのテラーが循環式貨幣入出金機１１と接続される端末機を操作し、出金処理を指令するとともに、出金金額や出金希望金種および枚数を入力すると、出金処理が開始される。
【０１５８】
出金処理が開始されると、出金金種に該当する金種の出金硬貨は、該当する金種別硬貨収納投出部１３４内から中継搬送部１４６に１枚ずつ繰り出され、また、出金金種に該当しない金種の硬貨、出金金種に該当する金種でも所定の出金枚数を繰り出し終わった金種の硬貨は、ストッパ機構によって繰り出し規制される。そして、中継搬送部１４６に繰り出された出金硬貨は、例えば左側のテラーで占有されている場合には中継搬送部１４６から左側の出金搬送部１４８を通じて左側の硬貨出金ボックス２７に払い出される。そして、テラーにより、硬貨出金ボックス２７が引き出されて硬貨出金ボックス２７内の出金硬貨が取り出され、出金処理が完了となる。
【０１５９】
また、硬貨の回収処理について説明する。テラーによる回収処理の指令により、金種別硬貨収納投出部１３４内の硬貨が中継搬送部１４６に１枚ずつ繰り出され、この中継搬送部１４６から右側の出金搬送部１５０、シュート１５２、カセットシュート切換部１５４、カセットシュート１５３を通じて、硬貨カセット１３５内に回収収納される。
【０１６０】
次に、図８ないし図１８を参照して、機体１２に対するユニット引出動作およびユニット挿入動作について説明する。なお、各図の（ａ）は平面図、（ｂ）は側面図であり、各図の左側が機体１２の前面である。
【０１６１】
図８には、前側ユニット７１および後側ユニット７２が機体１２に完全に挿入セットされている状態を示す。このとき、前側ユニット７１の前後方向の長さをＬ１、後側ユニット７２の前後方向の長さをＬ２、前側ユニット７１および後側ユニット７２を合わせた前後方向の長さをＬ３とする。
【０１６２】
図９に示すように、扉体３５を開けて機体１２の前面を開放し、前側ユニット７１を機体１２の前方へ引出操作することにより、前側ユニット７１が第１のガイド手段７３にガイドされて前方へ移動する。このとき、連結機構８６によって前側ユニット７１と後側ユニット７２とが連結されているため、前側ユニット７１と一体に後側ユニット７２が第３のガイド手段７５にガイドされて前方へ移動する。
【０１６３】
前側ユニット７１の後部が機体１２の前面から引き出される時点で、前側ユニット７１の後部に設けられている第１の当接部材９８の第３のアーム１０６が機体１２に設けられているガイド１１２の前端から外れ、この第３のアーム１０６がスプリング１０９の付勢によって第２の当接部材９９の前方に進出する。さらに、前側ユニット７１と一体に前方へ移動する後側ユニット７２のピン１２３が第２の当接部材９９の揺動アーム１２０の後部に当接し、この第２の当接部材９９を一体的に前方へ移動させる。
【０１６４】
図１０に示すように、前側ユニット７１が機体１２の前方所定域Ａ１まで引き出された位置で、第１のガイド手段７３により前側ユニット７１の前方への移動が規制される。このとき、前側ユニット７１の後部と機体１２の前面との距離をＬ４とすると、前側ユニット７１の機体１２からの引出寸法はＬ５となる。
【０１６５】
図１１および図１２に示すように、機体１２の前方所定域Ａ１まで引き出された前側ユニット７１を右方の後側ユニット引出許容位置Ａ２へ向けて移動操作することにより、前側ユニット７１が第２のガイド手段７４にガイドされて後側ユニット引出許容位置Ａ２へ向けて移動する。前側ユニット７１が後側ユニット引出許容位置Ａ２へ向けて移動する途中で、連結機構８６における前側ユニット７１のフック８７が後側ユニット７２の凹部８８から外れて連結が解除されるとともに、第１の当接部材９８の第２のアーム１０２が捩りばね１０３の付勢によって前側ユニット７１の移動方向後部側すなわち左側方に突出し、第２のアーム１０２が第１のアーム１００に対し直線状になる。
【０１６６】
そして、前側ユニット７１の後側ユニット引出許容位置Ａ２へ向けた移動中に、後側ユニット７２が機体１２の前方へ移動しても、第２の当接部材９９のローラ１１４が第１の当接部材９８の第３のアーム１０６、第１のアーム１００、第２のアーム１０２に当接し、前側ユニット７１と後側ユニット７２の衝突が防止され、前側ユニット７１を円滑に移動させることができる。
【０１６７】
図１３に２点鎖線にて示すように、前側ユニット７１が後側ユニット引出許容位置Ａ２に移動したときには、前側ユニット７１が機体１２の前面域から側方に完全に退避するとともに前側ユニット７１から突出している第２のアーム１０２の先端も機体１２の前面域から側方に退避され、図１４に示すように、後側ユニット７２の機体１２の前方への引き出しが許容される。
【０１６８】
図１５に示すように、後側ユニット７２を機体１２の前方へ引出操作することにより、後側ユニット７２が第３のガイド手段７５にガイドされて機体１２の前方へ移動する。後側ユニット７２とともに第２の当接部材９９が一体的に前方へ移動し、この第２の当接部材９９が前側ユニット７１の第１の当接部材９８の第１のアーム１００に対し直線状となっている第２のアーム１０２のローラ１０４の側方、つまり前側ユニット７１が後側ユニット引出許容位置Ａ２から機体１２の前方所定域Ａ１の原位置へ復帰移動するのを前側ユニット７１と後側ユニット７２とが当接する前に第１の当接部材９８と当接して規制する位置に進出する。
【０１６９】
後側ユニット７２の前方への移動途中で、第２の当接部材９９の突部１１５が前側ストッパ１１６に当接し、第２の当接部材９９の移動が規制されるため、後側ユニット７２のピン１２３で押している揺動アーム１２０のばね１２２の付勢によって後側ユニット７２の前方への移動に抵抗が生じる。ばね１２２の付勢に抗して後側ユニット７２を機体１２の前方へさらに引出操作することにより、後側ユニット７２のピン１２３で揺動アーム１２０が前方へ揺動し、ピン１２３が揺動アーム１２０を乗り越える。そして、後側ユニット７２が機体１２の前方所定域（前側ユニット７１の前方所定域Ａ１と同様）まで引き出された位置で、第３のガイド手段７５により後側ユニット７２の前方への移動が規制され、後側ユニット７２を機体１２の前面から完全に引き出すことができる。このとき、後側ユニット７２の機体１２からの引出寸法はＬ６となる。
【０１７０】
したがって、機体１２の前方に引き出された前側ユニット７１と後側ユニット７２とが左右方向に並んで配置され、前側ユニット７１に搭載されている紙幣カセット４６の区分収納部４６ａ，４６ｂ、硬貨カセット１３５を前方から着脱できるとともに、前側ユニット７１に設けられている紙幣一時保留部６４や紙幣搬送部４２の一部の保守点検を容易にでき、また、後側ユニット７２に搭載されている各金種別のスタッカ４５ａ〜４５ｃや、後側ユニット７２に設けられている金種別入金紙幣一時保留部４４ａ〜４４ｃや紙幣搬送部４２の一部の保守点検を容易にできる。
【０１７１】
そして、機体７１から前方への引出寸法は、前側ユニット７１の引出寸法Ｌ５または後側ユニット７２の引出寸法Ｌ６で済み、従来に相当する前側ユニット７１と後側ユニット７２とを合わせた引出寸法Ｌ３より例えば七割程度に小さくなる。
【０１７２】
このとき、後側ユニット７２が引き出されている状態で、前側ユニット７１を後側ユニット引出許容位置Ａ２から機体１２の前方所定域Ａ１の原位置へ復帰移動させたとしても、前側ユニット７１と後側ユニット７２とが衝突する前に、第１の当接部材９８の第２アーム１０２のローラ１０４が第２の当接部材９９に当接し、前側ユニット７１と後側ユニット７２とが衝突するのが回避される。
【０１７３】
また、機体１２から引き出した前側ユニット７１および後側ユニット７２を機体１２に戻す場合には、図１６に示すように、まず、後側ユニット７２を後方へ移動させて機体１２に挿入操作することにより、後側ユニット７２が第３のガイド手段７５のガイドによって後方へ移動し、その移動途中で後側ユニット７２のピン１２３が第２の当接部材９９の揺動アーム１２０の前部に当接し、後側ユニット７２と第２の当接部材９９とが一体的に後方へ移動する。
【０１７４】
図１７に示すように、後側ユニット７２が機体１２の後部方向所定域まで挿入されることで、第２の当接部材９９の突部１１５が後側ストッパ１１７に当接し、第２の当接部材９９の移動が規制されるため、後側ユニット７２のピン１２３で押しているばね１２２の付勢によって後側ユニット７２の後方への移動に抵抗が生じて止まる。この後側ユニット７２の位置で、後側ユニット７２が機体１２の前方所定域Ａ１より後方に位置して前方所定域Ａ１への前側ユニット７１の移動を許容するとともに、第２の当接部材９９が第１の当接部材９８と当接する領域から後方に退避する。
【０１７５】
前側ユニット７１を後側ユニット引出許容位置Ａ２から機体１２の前方所定域Ａ１に移動させる。その移動途中で、第１の当接部材９８の第２のアーム１０２のローラ１０４がガイド１０５に当接し、第２のアーム１０２が第１のアーム１００に対して前方へ向けて折れ曲がる格納姿勢に変位する。
【０１７６】
図１８に示すように、前側ユニット７１を機体１２の前方所定域Ａ１に復帰移動させた後、前側ユニット７１を後方へ移動させ、後側ユニット７２に合体させる。連結機構８６のフック８７が後側ユニット７２の凹部８８に係合して一体に連結される。
【０１７７】
そして、前側ユニット７１をさらに後方へ押し込むことにより、図８に示すように、機体１２に前側ユニット７１および後側ユニット７２を挿入セットできる。
【０１７８】
このように、循環式紙幣入出金機１１によれば、紙幣カセット４６、各金種別のスタッカ４５ａ〜４５ｃを前側ユニット７１および後側ユニット７２に分けて搭載するとともに、硬貨カセット１３５を前側ユニット７１に搭載し、前側ユニット７１を機体１２の前方所定域Ａ１に引き出すとともに機体１２の右方であって機体１２の前方への後側ユニット７２の引き出しを許容する後側ユニット引出許容位置Ａ２へ移動させることにより、後側ユニット７１を機体１２の前方に引き出せるため、紙幣カセット４６、各金種別のスタッカ４５ａ〜４５ｃ、硬貨カセット１３５の全てを前方へ引き出すのに必要とする引出寸法を小さくでき、狭いスペースでも使用でき、引出寸法が小さくなった分だけ他の物を置く等のスペースの有効利用を図れ、それでいて紙幣カセット４６、各金種別のスタッカ４５ａ〜４５ｃ、硬貨カセット１３５の全てを機体１２の前面から露出させて保守点検を容易にできる。
【０１７９】
また、前側ユニット７１に対して着脱可能とする紙幣カセット４６および硬貨カセット１３５を用いることにより、紙幣および硬貨の補充、回収を容易にできる。なお、前側ユニット７１が後側ユニット引出許容位置Ａ２に位置しているときを含む機体１２から引き出されているときに加えて、前側ユニット７１が機体１２に挿入されているときにも、前側ユニット７１の前面を通じて紙幣カセット４６および硬貨カセット１３５を着脱（例えば前方へ着脱）可能に構成してもよく、操作性を向上できる。
【０１８０】
また、前側ユニット７１に搭載する紙幣カセット４６の区分収納部４６ａ，４６ｂは補充紙幣の装填収納と回収紙幣の回収収納とに共用使用できるため、各金種別のスタッカ４５ａ〜４５ｃへの補充紙幣量、各金種別のスタッカ４５ａ〜４５ｃからの回収紙幣量をそれぞれ多く設定できる。
【０１８１】
なお、紙幣カセット４６の区分収納部４６ａ，４６ｂのうち、少なくともいずれかを所定金種（スタッカ４５ａ〜４５ｃのいずれかと同金種またはそれ以外の金種）の金種別のスタッカ４５ａ〜４５ｃの１つとして用いれば、金種別のスタッカ４５ａ〜４５ｃで用いられる金主の紙幣量を増加させたり、あるいは金種数を増加できる。
【０１８２】
また、前側ユニット７１が機体１２の前方所定域Ａ１に引き出されるときに連結機構８６を介して後側ユニット７２が機体１２の前面側に移動するため、後側ユニット７２の機体１２からの引出操作を容易にできる。しかも、前側ユニット７１が機体１２の前方所定域Ａ１に引き出されるときに後側ユニット７２と連結状態にあり、前側ユニット７１が機体１２の前方所定域Ａ１に引き出されて後側ユニット引出許容位置Ａ２へ移動するときに後側ユニット７２との連結が解かれ、また後部ユニット７２が機体１２へ挿入された後、前側ユニット７１が後側ユニット引出許容位置Ａ２から機体１２の前方所定域Ａ１に復帰移動して機体１２に挿入されたときに後側ユニット７２と連結されるため、手操作による連結操作および連結解除操作の必要がなく、それら連結および連結解除を自動的にでき、操作性を向上できる。
【０１８３】
また、前側ユニット７１が後側ユニット引出許容位置Ａ２に移動した後に後側ユニット７２が機体１２の前方で前側ユニット７１の左右方向側部へ移動するのに連動して、機体１２に設けられた第２の当接部材９９が前側ユニット７１に設けられた第１の当接部材９８と当接可能とする位置へ移動するため、前側ユニット７１が後側ユニット引出許容位置Ａ２から機体１２の前方所定域Ａ１の原位置へ復帰移動するとき、その移動域に後側ユニット７２が位置する場合でも、前側ユニット７１と後側ユニット７２とが衝突する前に第１の当接部材９８と第２の当接部材９９とが当接し、前側ユニット７１と後側ユニット７２とが衝突するのを防止できる。
【０１８４】
第１の当接部材９８が、前側ユニット７１の後部に設けられる第１のアーム１００と、この第１のアーム１００における前側ユニット７１の後側ユニット引出許容位置Ａ２への移動方向後端に設けられる第２のアーム１０２とを有しており、前側ユニット７１が前後方向移動域にあるときには、第２のアーム１０２が前側ユニット７１の側部に前後方向に向く格納姿勢となるため、スペースをとらず、前側ユニット７１の前後方向移動に影響がなく、また、前側ユニット７１の後側ユニット引出許容位置Ａ２への移動時には、第２のアーム１０２が前側ユニット７１の側部から移動方向後部側に向く突出姿勢に変位するため、確実に衝突防止できる。
【０１８５】
第１の当接部材９８における第２のアーム１０２の後側ユニット引出許容位置Ａ２への移動方向後端、および第２の当接部材９９の前端に、それぞれ相手側の当接部材９８，９９に当接するローラ１０４，１１４を設けたため、当接する場合でも各当接部材９８，９９とローラ１０４，１１４との当接であり、衝突防止機構の損傷を低減できる。
【０１８６】
なお、紙幣処理装置４１の入金紙幣一時保留部は、金種別に一時保留する場合、または複数金種一括して一時保留する場合のいずれでもよい。
【０１８７】
また、紙幣処理装置４１の紙幣入金口１６と紙幣出金口１８とは別に設けたが、入金と出金に共用され紙幣入金口と紙幣出金口とが一体に設けられた紙幣入出金口に設けてもよい。
【０１８８】
また、紙幣処理装置４１の紙幣を搬送する通路は、前記実施の形態では正逆搬送可能な入金出金共用通路であるが、入金通路と出金通路とは別でも、あるいは正転のみの入金、出金一部共用通路の場合でもよい。
【０１８９】
【発明の効果】
請求項１記載の循環式貨幣入出金機によれば、補充回収紙幣収納部、各金種別の金種別紙幣収納投出部を前側ユニットおよび後側ユニットに分けて搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部の全てを前方へ引き出すのに必要とする引出寸法を小さくでき、狭いスペースでの使用やスペースの有効利用を図れ、それでいて補充回収紙幣収納部、各金種別の金種別紙幣収納投出部の全てを機体の前面から露出させて保守点検を容易にできる。
【０１９０】
請求項２記載の循環式貨幣入出金機によれば、請求項１記載の循環式貨幣入出金機の効果に加えて、紙幣カセットによって紙幣の補充、回収ができ、さらに、前側ユニットが機体に挿入されているとき、および前側ユニットが後側ユニット引出許容位置に位置しているときを含む機体から引き出されているときのいずれにも、紙幣カセットを前側ユニットに対し着脱可能でき、操作性を向上できる。
【０１９１】
請求項３記載の循環式貨幣入出金機によれば、請求項１または２記載の循環式貨幣入出金機の効果に加えて、複数の区分収納部を補充紙幣の装填収納と回収紙幣の回収収納とに共用使用するため、金種別紙幣収納投出部への補充紙幣量、金種別紙幣収納投出部からの回収紙幣量をそれぞれ多く設定できる。
【０１９２】
請求項４記載の循環式貨幣入出金機によれば、請求項１または２記載の循環式貨幣入出金機の効果に加えて、複数の区分収納部のうち、少なくともいずれか１つを所定金種の金種別紙幣収納投出部として用いるため、金種別紙幣収納投出部の金種数を増加できる。
【０１９３】
請求項５記載の循環式貨幣入出金機によれば、補充回収紙幣収納部と、上部に金種別入金紙幣一時保留部が対応位置された各金種別の金種別紙幣収納投出部とを前側ユニットおよび後側ユニットに分けて搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部の全てを前方へ引き出すのに必要とする引出寸法を小さくでき、狭いスペースでの使用やスペースの有効利用を図れ、それでいて補充回収紙幣収納部、各金種別の金種別紙幣収納投出部の全てを機体の前面から露出させて保守点検を容易にできる。
【０１９４】
請求項６記載の循環式貨幣入出金機によれば、補充回収紙幣収納部、各金種別の金種別紙幣収納投出部を前側ユニットおよび後側ユニットに分けて搭載するとともに、回収硬貨収納部を前側ユニットに搭載し、前側ユニットを機体の前方所定域に引き出すとともに機体の左右方向のいずれか一側であって機体の前方への後側ユニットの引き出しを許容する後側ユニット引出許容位置へ移動させることにより、後側ユニットを機体の前方に引き出せるため、補充回収紙幣収納部、各金種別の金種別紙幣収納投出部、回収硬貨収納部の全てを前方へ引き出すのに必要とする引出寸法を小さくでき、狭いスペースでの使用やスペースの有効利用を図れ、それでいて補充回収紙幣収納部、各金種別の金種別紙幣収納投出部、回収硬貨収納部の全てを機体の前面から露出させて保守点検を容易にできる。また、紙幣処理装置と硬貨処理装置との両方を備え、硬貨処理装置の大半の部分を紙幣処理装置の上部に配置したので、循環式貨幣入出金機を設置するための床面積は紙幣処理装置だけの場合と同等で床面積を有効利用でき、さらに、補充回収紙幣収納部および回収硬貨収納部が前側ユニットに搭載されるので、紙幣や硬貨の回収の操作性を向上できる。
【０１９５】
請求項７記載の循環式貨幣入出金機によれば、請求項６記載の循環式貨幣入出金機の効果に加えて、紙幣カセットおよび硬貨カセットによって紙幣の補充、回収および硬貨の回収ができ、さらに、前側ユニットが機体に挿入されているとき、および前側ユニットが後側ユニット引出許容位置に位置しているときを含む機体から引き出されているときのいずれにも、紙幣カセットおよび硬貨カセットを前側ユニットに対し着脱可能でき、操作性を向上できる。
【０１９６】
請求項８記載の循環式貨幣入出金機によれば、請求項１ないし７いずれか記載の循環式貨幣入出金機の効果に加えて、前側ユニットが機体の前方所定域に引き出されるときに連結機構の連結を介して後側ユニットが機体の前面側に移動するため、後側ユニットの機体からの引出操作を容易にできる。しかも、前側ユニットが機体の前方所定域に引き出されるときに後側ユニットと連結状態にあり、前側ユニットが機体の前方所定域に引き出されて後側ユニット引出許容位置へ移動するときに後側ユニットとの連結が解かれ、後部ユニットが機体側へ挿入された後、前側ユニットが後側ユニット引出許容位置から機体の前方所定域に復帰移動して機体に挿入されたときに後側ユニットと連結されるため、手操作による連結操作および連結解除操作の必要がなく、それら連結および連結解除を自動的にでき、操作性を向上できる。
【０１９７】
請求項９記載の循環式貨幣入出金機によれば、請求項１ないし８いずれか記載の循環式貨幣入出金機の効果に加えて、前側ユニットが後側ユニット引出許容位置に移動した後に後側ユニットが機体の前方で前側ユニットの左右方向側部へ移動するのに連動して、機体または後側ユニットに設けられた第２の当接部材が前側ユニットに設けられた第１の当接部材と当接可能とする位置へ移動するため、前側ユニットが後側ユニット引出許容位置から機体の前方所定域の原位置へ復帰移動するとき、その移動域に後側ユニットが位置する場合でも、前側ユニットと後側ユニットとが衝突する前に第１の当接部材と第２の当接部材とが当接し、前側ユニットと後側ユニットとが衝突するのを防止できる。
【０１９８】
請求項１０記載の循環式貨幣入出金機によれば、請求項９記載の循環式貨幣入出金機の効果に加えて、第１の当接部材が、前側ユニットの後部に設けられる第１の部材と、この第１の部材における前側ユニットの後側ユニット引出許容位置への移動方向後端に設けられる第２の部材とを有しており、前側ユニットが前後方向移動域にあるときには、第２の部材が前側ユニットの側部に前後方向に向く格納姿勢となるため、スペースをとらず、前側ユニットの前後方向移動に影響がなく、また、前側ユニットの後側ユニット引出許容位置への移動時には、第２の部材が前側ユニットの側部から移動方向後部側に向く突出姿勢に変位するため、確実に衝突防止できる。
【０１９９】
請求項１１記載の循環式貨幣入出金機によれば、請求項１０記載の循環式貨幣入出金機の効果に加えて、第１の当接部材における第２の部材の後側ユニット引出許容位置への移動方向後端、および第２の当接部材の前端に、それぞれ相手側の当接部材に当接するローラを設けたため、当接する場合でも各当接部材とローラとの当接であり、衝突防止機構の損傷を低減できる。
【図面の簡単な説明】
【図１】本発明の一実施の形態を示す循環式貨幣入出金機の紙幣処理装置を示す概略右側面図である。
【図２】同上循環式貨幣入出金機の正面図である。
【図３】同上循環式貨幣入出金機の硬貨処理装置を示す概略右側面図である。
【図４】同上循環式貨幣入出金機の硬貨処理装置の平面図である。
【図５】同上循環式貨幣入出金機の連結機構を示す平面図である。
【図６】同上循環式貨幣入出金機の衝突防止機構を示し、（ａ）は平面図、（ｂ）は正面図、（ｃ）は正面図である。
【図７】同上循環式貨幣入出金機の斜視図である。
【図８】同上循環式貨幣入出金機のユニット引出動作を示し、（ａ）は平面図、（ｂ）は側面図である。
【図９】同上循環式貨幣入出金機の図８に続くユニット引出動作を示し、（ａ）は平面図、（ｂ）は側面図である。
【図１０】同上循環式貨幣入出金機の図９に続くユニット引出動作を示し、（ａ）は平面図、（ｂ）は側面図である。
【図１１】同上循環式貨幣入出金機の図１０に続くユニット引出動作を示し、（ａ）は平面図、（ｂ）は側面図である。
【図１２】同上循環式貨幣入出金機の図１１に続くユニット引出動作を示し、（ａ）は平面図、（ｂ）は側面図である。
【図１３】同上循環式貨幣入出金機の図１２に続くユニット引出動作を示し、（ａ）は平面図、（ｂ）は側面図である。
【図１４】同上循環式貨幣入出金機の図１３に続くユニット引出動作を示し、（ａ）は平面図、（ｂ）は側面図である。
【図１５】同上循環式貨幣入出金機のユニット挿入動作を示し、（ａ）は平面図、（ｂ）は側面図である。
【図１６】同上循環式貨幣入出金機の図１５に続くユニット挿入動作を示し、（ａ）は平面図、（ｂ）は側面図である。
【図１７】同上循環式貨幣入出金機の図１６に続くユニット挿入動作を示し、（ａ）は平面図、（ｂ）は側面図である。
【図１８】同上循環式貨幣入出金機の図１７に続くユニット挿入動作を示し、（ａ）は平面図、（ｂ）は側面図である。
【図１９】同上循環式貨幣入出金機の紙幣処理装置を示し、（ａ）（ｂ）は初期補充処理の説明図、（ｃ）（ｄ）は入金処理の説明図、（ｅ）は出金処理の説明図である。
【図２０】同上循環式貨幣入出金機の紙幣処理装置を示し、（ａ）〜（ｄ）は精査回収処理の説明図である。
【符号の説明】
１１    循環式貨幣入出金機
１２    機体
４１    紙幣処理装置
４３    紙幣識別部
４４ａ〜４４ｃ    入金紙幣一時保留部としての金種別入金紙幣一時保留部
４５ａ〜４５ｃ    金種別紙幣収納投出部としてのスタッカ
４６    補充回収紙幣収納部としての紙幣カセット
４６ａ，４６ｂ    区分収納部
４７    紙幣繰込手段
５６    紙幣識別搬送通路
７１    前側ユニット
７２    後側ユニット
７３    第１のガイド手段
７４    第２のガイド手段
７５    第３のガイド手段
８６    連結機構
８７    前側ユニット側連結部としてのフック
８８    後側ユニット側連結部としての凹部
９７    衝突防止機構
９８    第１の当接部材
９９    第２の当接部材
１００    第１の部材としての第１のアーム
１０２    第２の部材としての第２のアーム
１０４，１１４    ローラ
１３１    硬貨処理装置
１３３    硬貨識別部
１３４    金種別硬貨収納投出部
１３５    回収硬貨収納部としての硬貨カセット
１３６    硬貨繰込手段
１３９    硬貨識別搬送通路
１６２    入金硬貨一時保留部
Ａ１    前方所定域
Ａ２    後側ユニット引出許容位置
【図１】
2005018546.tif 000003
【図２】
2005018546.tif 000004
【図３】
2005018546.tif 000005
【図４】
2005018546.tif 000006
【図５】
2005018546.tif 000007
【図６】
2005018546.tif 000008
【図７】
2005018546.tif 000009
【図８】
2005018546.tif 000010
【図９】
2005018546.tif 000011
【図１０】
2005018546.tif 000012
【図１１】
2005018546.tif 000013
【図１２】
2005018546.tif 000014
【図１３】
2005018546.tif 000015
【図１４】
2005018546.tif 000016
【図１５】
2005018546.tif 000017
【図１６】
2005018546.tif 000018
【図１７】
2005018546.tif 000019
【図１８】
2005018546.tif 000020
【図１９】
2005018546.tif 000021
【図２０】
2005018546.tif 000022